(57)【要約】機器、装置、方法、コンピュータプログラム製品、および、システムは、通信ネットワークに関連付けられたウイルスを特定し、通信ネットワークにおけるウイルスの伝送と対比して、速い伝送速度、高い伝送信頼性、高い伝送セキュリティ、および、物理的に分離された伝送経路の少なくともいずれかでアンチウイルスエージェントの伝送を行うバイパスネットワークを用いて、通信ネットワークに上記アンチウイルスエージェントを配信する。
2009535913.tif 000002
【特許請求の範囲】
【請求項１】
通信ネットワークと関連付けられたウイルスを特定するステップと、
上記通信ネットワークにおける上記ウイルスの伝送と対比して、速い伝送速度、高い伝送信頼性、高い伝送セキュリティ、および、物理的に分離された伝送経路の少なくともいずれかでアンチウイルスエージェントの伝送を行うバイパスネットワークを用いて、上記通信ネットワークに上記アンチウイルスエージェントを配信するステップと、を含むマルチネットワークウイルス免疫付与方法。
【請求項２】
上記通信ネットワークと関連付けられたウイルスを特定するステップは、上記通信ネットワークのネットワーク装置における上記ウイルスを検知することを含む請求項１に記載のマルチネットワークウイルス免疫付与方法。
【請求項３】
上記通信ネットワークと関連付けられたウイルスを特定するステップは、上記通信ネットワークのネットワーク装置の間における上記ウイルスの伝播を検知することを含む請求項１に記載のマルチネットワークウイルス免疫付与方法。
【請求項４】
上記通信ネットワークと関連付けられたウイルスを特定するステップは、上記通信ネットワークについての上記ウイルスの影響を検知することを含む請求項１に記載のマルチネットワークウイルス免疫付与方法。
【請求項５】
上記通信ネットワークと関連付けられたウイルスを特定するステップは、上記通信ネットワークにおいて上記ウイルスが伝播する見込みを判定することを含む請求項１に記載のマルチネットワークウイルス免疫付与方法。
【請求項６】
上記通信ネットワークと関連付けられたウイルスを特定するステップは、上記ウイルスが存在する、および／または、以前に存在したネットワーク装置に関連付けられたシグネチャを判別するとともに、上記シグネチャに基づいて、上記ウイルスを特定することを含む請求項１に記載のマルチネットワークウイルス免疫付与方法。
【請求項７】
上記通信ネットワークと関連付けられたウイルスを特定するステップは、上記ウイルスと関連付けられたシグネチャと、１または複数の既知のシグネチャとの比較を実行するとともに、上記比較に基づいて、上記ウイルスを特定することを含む請求項１に記載のマルチネットワークウイルス免疫付与方法。
【請求項８】
上記通信ネットワークと関連付けられたウイルスを特定するステップは、ウイルス検知プログラムから上記ウイルスの通知を受信するとともに、上記通知に基づいて、上記ウイルスを特定することを含む請求項１に記載のマルチネットワークウイルス免疫付与方法。
【請求項９】
上記通信ネットワークと関連付けられたウイルスを特定するステップは、上記ウイルスおよび／または上記通信ネットワークに関連付けられた不正パターンを判別するとともに、上記不正パターンに基づいて、上記ウイルスを特定することを含む請求項１に記載のマルチネットワークウイルス免疫付与方法。
【請求項１０】
上記通信ネットワークと関連付けられたウイルスを特定するステップは、上記通信ネットワークの予期される特性と、上記通信ネットワークの実際の特性との比較を実行するとともに、上記比較に基づいて、上記ウイルスを特定することを含む請求項１に記載のマルチネットワークウイルス免疫付与方法。
【請求項１１】
上記通信ネットワークと関連付けられたウイルスを特定するステップは、上記通信ネットワーク内における自己伝播力をもつコードを内包する上記ウイルスを特定することを含む請求項１に記載のマルチネットワークウイルス免疫付与方法。
【請求項１２】
上記通信ネットワークと関連付けられたウイルスを特定するステップは、上記通信ネットワーク内における自己複製力をもつコードを内包する上記ウイルスを特定することを含む請求項１に記載のマルチネットワークウイルス免疫付与方法。
【請求項１３】
上記通信ネットワークと関連付けられたウイルスを特定するステップは、悪意のあるコードを内包する上記ウイルスを特定することを含む請求項１に記載のマルチネットワークウイルス免疫付与方法。
【請求項１４】
上記通信ネットワークと関連付けられたウイルスを特定するステップは、ネットワークウイルス、サービス拒否攻撃、ネットワークあふれ（network flooding）、ワーム、トロイの木馬、スパイウェア、権限の無いネットワークプログラム、スパム、および／または、アドウェアのうちの１または複数に関連するコードを内包する上記ウイルスを特定することを含む請求項１に記載のマルチネットワークウイルス免疫付与方法。
【請求項１５】
上記通信ネットワークと関連付けられたウイルスを特定するステップは、上記ウイルスに感染しやすい上記通信ネットワークの特性を判定するとともに、上記特性に基づいて、上記ウイルスを特定することを含む請求項１に記載のマルチネットワークウイルス免疫付与方法。
【請求項１６】
上記通信ネットワークと関連付けられたウイルスを特定するステップは、上記ウイルスに感染しやすい上記通信ネットワークのネットワーク装置の特性を判定するとともに、上記特性に基づいて、上記ウイルスを特定することを含む請求項１に記載のマルチネットワークウイルス免疫付与方法。
【請求項１７】
上記通信ネットワークと関連付けられたウイルスを特定するステップは、通信データを送信する論理ネットワークを含む通信ネットワークと関連付けられたウイルスを特定することを含む請求項１に記載のマルチネットワークウイルス免疫付与方法。
【請求項１８】
上記通信ネットワークと関連付けられたウイルスを特定するステップは、通信データを送信する物理ネットワークを含む通信ネットワークと関連付けられたウイルスを特定することを含む請求項１に記載のマルチネットワークウイルス免疫付与方法。
【請求項１９】
上記通信ネットワークと関連付けられたウイルスを特定するステップは、アクセスが制限されている通信ネットワークと関連付けられたウイルスを特定することを含む請求項１に記載のマルチネットワークウイルス免疫付与方法。
【請求項２０】
上記通信ネットワークと関連付けられたウイルスを特定するステップは、アクセスが有料となっている通信ネットワークと関連付けられたウイルスを特定することを含む請求項１に記載のマルチネットワークウイルス免疫付与方法。
【請求項２１】
上記通信ネットワークと関連付けられたウイルスを特定するステップは、事業体が保証するネットワークを含む通信ネットワークに関連付けられた上記ウイルスを特定することを含む請求項１に記載のマルチネットワークウイルス免疫付与方法。
【請求項２２】
上記通信ネットワークと関連付けられたウイルスを特定するステップは、より大きなネットワークの一部を含み、かつ、上記より大きなネットワークとともに提供される通信ネットワークに関連付けられた上記ウイルスを特定することを含む請求項１に記載のマルチネットワークウイルス免疫付与方法。
【請求項２３】
上記通信ネットワークと関連付けられたウイルスを特定するステップは、ワイド・エリア・ネットワーク、ローカル・エリア・ネットワーク、仮想ローカル・エリア・ネットワーク、仮想私設ネットワーク、メトロポリタン・エリア・ネットワーク、ピア・トゥ・ピア・ネットワーク、および／または、イントラネットのうちの少なくとも１つを含む通信ネットワークに関連付けられた上記ウイルスを特定することを含む請求項１に記載のマルチネットワークウイルス免疫付与方法。
【請求項２４】
上記通信ネットワークと関連付けられたウイルスを特定するステップは、イーサネットベース（登録商標）のネットワーク、無線ネットワーク、ブルートゥース（登録商標）のネットワーク、Ｗｉ−Ｆｉ（登録商標）のネットワーク、公衆交換電話ネットワーク、および／または、パケット交換ネットワークのうちの少なくとも１つを含む通信ネットワークに関連付けられた上記ウイルスを特定することを含む請求項１に記載のマルチネットワークウイルス免疫付与方法。
【請求項２５】
上記通信ネットワークと関連付けられたウイルスを特定するステップは、衛星ネットワーク、携帯電話ネットワーク、ケーブルネットワーク、ファイバー回路ネットワーク、マイクロ波ネットワーク、および／または、ページングネットワークのうちの少なくとも１つを含む通信ネットワークに関連付けられた上記ウイルスを特定することを含む請求項１に記載のマルチネットワークウイルス免疫付与方法。
【請求項２６】
上記通信ネットワークにおける上記ウイルスの伝送と対比して、速い伝送速度、高い伝送信頼性、高い伝送セキュリティ、および、物理的に分離された伝送経路の少なくともいずれかでアンチウイルスエージェントの伝送を行うバイパスネットワークを用いて、上記通信ネットワークに上記アンチウイルスエージェントを配信するステップは、
上記ウイルスに基づいて上記アンチウイルスエージェントを決定することを含む請求項１に記載のマルチネットワークウイルス免疫付与方法。
【請求項２７】
上記通信ネットワークにおける上記ウイルスの伝送と対比して、速い伝送速度、高い伝送信頼性、高い伝送セキュリティ、および、物理的に分離された伝送経路の少なくともいずれかでアンチウイルスエージェントの伝送を行うバイパスネットワークを用いて、上記通信ネットワークに上記アンチウイルスエージェントを配信するステップは、
上記ウイルスに基づいて、上記通信ネットワークのネットワーク装置における上記ウイルスの伝播を阻止および／または抑制するアンチウイルスエージェントであって、上記ネットワーク装置にロードされる上記アンチウイルスエージェントを決定することを含む請求項１に記載のマルチネットワークウイルス免疫付与方法。
【請求項２８】
上記通信ネットワークにおける上記ウイルスの伝送と対比して、速い伝送速度、高い伝送信頼性、高い伝送セキュリティ、および、物理的に分離された伝送経路の少なくともいずれかでアンチウイルスエージェントの伝送を行うバイパスネットワークを用いて、上記通信ネットワークに上記アンチウイルスエージェントを配信するステップは、
上記アンチウイルスエージェントが、上記通信ネットワークにおいて上記ウイルスが伝播するのを、阻止する、および／または、抑制するものであると判定することを含む請求項１に記載のマルチネットワークウイルス免疫付与方法。
【請求項２９】
上記通信ネットワークにおける上記ウイルスの伝送と対比して、速い伝送速度、高い伝送信頼性、高い伝送セキュリティ、および、物理的に分離された伝送経路の少なくともいずれかでアンチウイルスエージェントの伝送を行うバイパスネットワークを用いて、上記通信ネットワークに上記アンチウイルスエージェントを配信するステップは、
上記通信ネットワークのネットワーク装置から上記ウイルスを取り除くアンチウイルスエージェントを、上記通信ネットワークの上記ネットワーク装置に供給することを含む請求項１に記載のマルチネットワークウイルス免疫付与方法。
【請求項３０】
上記通信ネットワークにおける上記ウイルスの伝送と対比して、速い伝送速度、高い伝送信頼性、高い伝送セキュリティ、および、物理的に分離された伝送経路の少なくともいずれかでアンチウイルスエージェントの伝送を行うバイパスネットワークを用いて、上記通信ネットワークに上記アンチウイルスエージェントを配信するステップは、
上記バイパスネットワークを用いて、上記ウイルスが上記通信ネットワークのネットワーク装置に感染する前に、上記ネットワーク装置に上記アンチウイルスエージェントを供給することを含む請求項１に記載のマルチネットワークウイルス免疫付与方法。
【請求項３１】
上記通信ネットワークにおける上記ウイルスの伝送と対比して、速い伝送速度、高い伝送信頼性、高い伝送セキュリティ、および、物理的に分離された伝送経路の少なくともいずれかでアンチウイルスエージェントの伝送を行うバイパスネットワークを用いて、上記通信ネットワークに上記アンチウイルスエージェントを配信するステップは、
上記通信ネットワークのネットワーク装置に対して、上記アンチウイルスエージェントへのアクセスを提供する、上記アンチウイルスエージェントへの参照を供給することを含む請求項１に記載のマルチネットワークウイルス免疫付与方法。
【請求項３２】
上記通信ネットワークにおける上記ウイルスの伝送と対比して、速い伝送速度、高い伝送信頼性、高い伝送セキュリティ、および、物理的に分離された伝送経路の少なくともいずれかでアンチウイルスエージェントの伝送を行うバイパスネットワークを用いて、上記通信ネットワークに上記アンチウイルスエージェントを配信するステップは、
上記通信ネットワークにおける１または複数のネットワーク装置へのマルチキャスト伝送を含んだ、上記通信ネットワークへの上記アンチウイルスエージェントの配信を含む請求項１に記載のマルチネットワークウイルス免疫付与方法。
【請求項３３】
上記通信ネットワークにおける上記ウイルスの伝送と対比して、速い伝送速度、高い伝送信頼性、高い伝送セキュリティ、および、物理的に分離された伝送経路の少なくともいずれかでアンチウイルスエージェントの伝送を行うバイパスネットワークを用いて、上記通信ネットワークに上記アンチウイルスエージェントを配信するステップは、
上記通信ネットワークにおける１または複数のネットワーク装置へのブロードキャスト伝送を含んだ、上記通信ネットワークへの反応の配信を含む請求項１に記載のマルチネットワークウイルス免疫付与方法。
【請求項３４】
上記通信ネットワークにおける上記ウイルスの伝送と対比して、速い伝送速度、高い伝送信頼性、高い伝送セキュリティ、および、物理的に分離された伝送経路の少なくともいずれかでアンチウイルスエージェントの伝送を行うバイパスネットワークを用いて、上記通信ネットワークに上記アンチウイルスエージェントを配信するステップは、
少なくとも上記通信ネットワークからは部分的に論理的に分離されたバイパスネットワークを用いて上記通信ネットワークに上記アンチウイルスエージェントを配信することを含む請求項１に記載のマルチネットワークウイルス免疫付与方法。
【請求項３５】
上記通信ネットワークにおける上記ウイルスの伝送と対比して、速い伝送速度、高い伝送信頼性、高い伝送セキュリティ、および、物理的に分離された伝送経路の少なくともいずれかでアンチウイルスエージェントの伝送を行うバイパスネットワークを用いて、上記通信ネットワークに上記アンチウイルスエージェントを配信するステップは、
上記バイパスネットワークの事業体の援助に関連付けられているバイパスネットワークを用いて上記通信ネットワークに上記アンチウイルスエージェントを配信することを含む請求項１に記載のマルチネットワークウイルス免疫付与方法。
【請求項３６】
上記通信ネットワークにおける上記ウイルスの伝送と対比して、速い伝送速度、高い伝送信頼性、高い伝送セキュリティ、および、物理的に分離された伝送経路の少なくともいずれかでアンチウイルスエージェントの伝送を行うバイパスネットワークを用いて、上記通信ネットワークに上記アンチウイルスエージェントを配信するステップは、
高伝送速度、高伝送信頼性、高伝送セキュリティ、および／または、物理的に分離された伝送経路のうちの少なくとも１つを上記アンチウイルスエージェントの伝送において保証、および／または、提供する、事業体による援助に関連付けられているバイパスネットワークを用いて上記通信ネットワークに上記アンチウイルスエージェントを配信することを含む請求項１に記載のマルチネットワークウイルス免疫付与方法。
【請求項３７】
上記通信ネットワークにおける上記ウイルスの伝送と対比して、速い伝送速度、高い伝送信頼性、高い伝送セキュリティ、および、物理的に分離された伝送経路の少なくともいずれかでアンチウイルスエージェントの伝送を行うバイパスネットワークを用いて、上記通信ネットワークに上記アンチウイルスエージェントを配信するステップは、
上記通信ネットワークおよび上記バイパスネットワークの両方と通信するネットワーク装置を使用し、上記バイパスネットワークを用いての上記通信ネットワークへの上記アンチウイルスエージェントの配信を行うことを含む請求項１に記載のマルチネットワークウイルス免疫付与方法。
【請求項３８】
上記通信ネットワークにおける上記ウイルスの伝送と対比して、速い伝送速度、高い伝送信頼性、高い伝送セキュリティ、および、物理的に分離された伝送経路の少なくともいずれかでアンチウイルスエージェントの伝送を行うバイパスネットワークを用いて、上記通信ネットワークに上記アンチウイルスエージェントを配信するステップは、
上記通信ネットワークへの上記アンチウイルスエージェントの配信を制御する規則に従って動作するネットワークトラフィック管理装置を使用し、上記バイパスネットワークを用いての上記通信ネットワークへの上記アンチウイルスエージェントの配信を行うことを含む請求項１に記載のマルチネットワークウイルス免疫付与方法。
【請求項３９】
上記通信ネットワークにおける上記ウイルスの伝送と対比して、速い伝送速度、高い伝送信頼性、高い伝送セキュリティ、および、物理的に分離された伝送経路の少なくともいずれかでアンチウイルスエージェントの伝送を行うバイパスネットワークを用いて、上記通信ネットワークに上記アンチウイルスエージェントを配信するステップは、
上記通信ネットワークの通信データよりも、上記アンチウイルスエージェントの伝送を優先するよう動作するネットワークトラフィック管理装置を使用し、上記バイパスネットワークを用いての上記通信ネットワークへの上記アンチウイルスエージェントの配信を行うことを含む請求項１に記載のマルチネットワークウイルス免疫付与方法。
【請求項４０】
上記通信ネットワークにおける上記ウイルスの伝送と対比して、速い伝送速度、高い伝送信頼性、高い伝送セキュリティ、および、物理的に分離された伝送経路の少なくともいずれかでアンチウイルスエージェントの伝送を行うバイパスネットワークを用いて、上記通信ネットワークに上記アンチウイルスエージェントを配信するステップは、
上記アンチウイルスエージェントの伝送に対して、上記ウイルスの伝送を抑制および／または遅延させるように機能するネットワークトラフィック管理装置を使用し、上記バイパスネットワークを用いての上記通信ネットワークへの上記アンチウイルスエージェントの配信を行うことを含む請求項１に記載のマルチネットワークウイルス免疫付与方法。
【請求項４１】
上記通信ネットワークにおける上記ウイルスの伝送と対比して、速い伝送速度、高い伝送信頼性、高い伝送セキュリティ、および、物理的に分離された伝送経路の少なくともいずれかでアンチウイルスエージェントの伝送を行うバイパスネットワークを用いて、上記通信ネットワークに上記アンチウイルスエージェントを配信するステップは、
ワイド・エリア・ネットワーク、ローカル・エリア・ネットワーク、仮想ローカル・エリア・ネットワーク、仮想私設ネットワーク、メトロポリタン・エリア・ネットワーク、ピア・トゥ・ピアネットワーク、および／または、イントラネットのうちの少なくとも１つを含むバイパスネットワークを用いて上記アンチウイルスエージェントを上記通信ネットワークに配信することを含む請求項１に記載のマルチネットワークウイルス免疫付与方法。
【請求項４２】
上記通信ネットワークにおける上記ウイルスの伝送と対比して、速い伝送速度、高い伝送信頼性、高い伝送セキュリティ、および、物理的に分離された伝送経路の少なくともいずれかでアンチウイルスエージェントの伝送を行うバイパスネットワークを用いて、上記通信ネットワークに上記アンチウイルスエージェントを配信するステップは、
イーサネットベースのネットワーク、無線ネットワーク、ブルートゥースネットワーク、Ｗｉ−Ｆｉネットワーク、公衆交換電話ネットワーク、および／または、パケット交換ネットワークのうちの少なくとも１つを含むバイパスネットワークを用いて上記アンチウイルスエージェントを上記通信ネットワークに配信することを含む請求項１に記載のマルチネットワークウイルス免疫付与方法。
【請求項４３】
上記通信ネットワークにおける上記ウイルスの伝送と対比して、速い伝送速度、高い伝送信頼性、高い伝送セキュリティ、および、物理的に分離された伝送経路の少なくともいずれかでアンチウイルスエージェントの伝送を行うバイパスネットワークを用いて、上記通信ネットワークに上記アンチウイルスエージェントを配信するステップは、
衛星ネットワーク、衛星無線ネットワーク、携帯電話ネットワーク、ファイバーネットワーク、および／または、ページングネットワークのうちの少なくとも１つを含むバイパスネットワークを用いて上記アンチウイルスエージェントを上記通信ネットワークに配信することを含む請求項１に記載のマルチネットワークウイルス免疫付与方法。
【請求項４４】
上記通信ネットワークにおける上記ウイルスの伝送と対比して、速い伝送速度、高い伝送信頼性、高い伝送セキュリティ、および、物理的に分離された伝送経路の少なくともいずれかでアンチウイルスエージェントの伝送を行うバイパスネットワークを用いて、上記通信ネットワークに上記アンチウイルスエージェントを配信するステップは、
上記アンチウイルスエージェントを、上記通信ネットワークにおける上記ウイルスの伝播経路よりも前にある１つ以上の上記通信ネットワークのネットワーク装置に供給することを含む請求項１に記載のマルチネットワークウイルス免疫付与方法。
【請求項４５】
上記通信ネットワークにおける上記ウイルスの伝送と対比して、速い伝送速度、高い伝送信頼性、高い伝送セキュリティ、および、物理的に分離された伝送経路の少なくともいずれかでアンチウイルスエージェントの伝送を行うバイパスネットワークを用いて、上記通信ネットワークに上記アンチウイルスエージェントを配信するステップは、
上記通信ネットワークのトポロジ解析による上記ウイルスの潜在的な経路の特定に基づいて上記アンチウイルスエージェントを上記通信ネットワークに供給することを含む請求項１に記載のマルチネットワークウイルス免疫付与方法。
【請求項４６】
上記通信ネットワークにおける上記ウイルスの伝送と対比して、速い伝送速度、高い伝送信頼性、高い伝送セキュリティ、および、物理的に分離された伝送経路の少なくともいずれかでアンチウイルスエージェントの伝送を行うバイパスネットワークを用いて、上記通信ネットワークに上記アンチウイルスエージェントを配信するステップは、
上記通信ネットワークに上記アンチウイルスエージェントを配信するときに、上記ウイルスに競合する上記アンチウイルスエージェントを伝播することを含む請求項１に記載のマルチネットワークウイルス免疫付与方法。
【請求項４７】
上記通信ネットワークにおける上記ウイルスの伝送と対比して、速い伝送速度、高い伝送信頼性、高い伝送セキュリティ、および、物理的に分離された伝送経路の少なくともいずれかでアンチウイルスエージェントの伝送を行うバイパスネットワークを用いて、上記通信ネットワークに上記アンチウイルスエージェントを配信するステップは、
上記ウイルスの潜在的な経路の特定に基づいて、上記通信ネットワークに上記アンチウイルスエージェントを配信することを含み、上記特定は、上記特定を統計解析することを含むものである請求項１に記載のマルチネットワークウイルス免疫付与方法。
【請求項４８】
上記通信ネットワークにおける上記ウイルスの伝送と対比して、速い伝送速度、高い伝送信頼性、高い伝送セキュリティ、および、物理的に分離された伝送経路の少なくともいずれかでアンチウイルスエージェントの伝送を行うバイパスネットワークを用いて、上記通信ネットワークに上記アンチウイルスエージェントを配信するステップは、
第１のネットワーク装置と、第２のネットワーク装置との間における上記アンチウイルスエージェントのポイント・トゥ・ポイント伝送を、上記通信ネットワークが上記第１のネットワーク装置から上記第２のネットワーク装置に上記ウイルスを伝送するのにかかる時間よりも短い時間で行うことができるバイパスネットワークを用いて、上記通信ネットワークに上記アンチウイルスエージェントを配信することを含む請求項１に記載のマルチネットワークウイルス免疫付与方法。
【請求項４９】
上記通信ネットワークにおける上記ウイルスの伝送と対比して、速い伝送速度、高い伝送信頼性、高い伝送セキュリティ、および、物理的に分離された伝送経路の少なくともいずれかでアンチウイルスエージェントの伝送を行うバイパスネットワークを用いて、上記通信ネットワークに上記アンチウイルスエージェントを配信するステップは、
上記通信ネットワークがネットワーク経路上において上記ウイルスを伝送するのにかかる時間よりも短い時間で、上記ネットワーク経路上において、上記アンチウイルスエージェントのエンド・トゥ・エンド伝送を行うことができるバイパスネットワークを用いて、上記通信ネットワークに上記アンチウイルスエージェントを配信することを含む請求項１に記載のマルチネットワークウイルス免疫付与方法。
【請求項５０】
上記通信ネットワークにおける上記ウイルスの伝送と対比して、速い伝送速度、高い伝送信頼性、高い伝送セキュリティ、および、物理的に分離された伝送経路の少なくともいずれかでアンチウイルスエージェントの伝送を行うバイパスネットワークを用いて、上記通信ネットワークに上記アンチウイルスエージェントを配信するステップは、
通信ネットワークにおいて用いられる通信伝送媒体よりも広い帯域幅をサポートするバイパス伝送媒体を用いて上記アンチウイルスエージェントの伝送を行うことができるバイパスネットワークを用いて、上記通信ネットワークに上記アンチウイルスエージェントを配信することを含む請求項１に記載のマルチネットワークウイルス免疫付与方法。
【請求項５１】
上記通信ネットワークにおける上記ウイルスの伝送と対比して、速い伝送速度、高い伝送信頼性、高い伝送セキュリティ、および、物理的に分離された伝送経路の少なくともいずれかでアンチウイルスエージェントの伝送を行うバイパスネットワークを用いて、上記通信ネットワークに上記アンチウイルスエージェントを配信するステップは、
上記通信ネットワークにおいて用いられる通信伝送媒体よりも速いデータ転送をサポートするバイパス伝送媒体を用いて上記アンチウイルスエージェントの伝送を行うことができるバイパスネットワークを用いて、上記通信ネットワークに上記アンチウイルスエージェントを配信することを含む請求項１に記載のマルチネットワークウイルス免疫付与方法。
【請求項５２】
上記通信ネットワークにおける上記ウイルスの伝送と対比して、速い伝送速度、高い伝送信頼性、高い伝送セキュリティ、および、物理的に分離された伝送経路の少なくともいずれかでアンチウイルスエージェントの伝送を行うバイパスネットワークを用いて、上記通信ネットワークに上記アンチウイルスエージェントを配信するステップは、
上記通信ネットワークに比べて、より高い信頼性で、第１のネットワーク装置および第２のネットワーク装置間における上記アンチウイルスエージェントのポイント・トゥ・ポイント伝送を行うバイパスネットワークを用いて、上記通信ネットワークに上記アンチウイルスエージェントを配信することを含む請求項１に記載のマルチネットワークウイルス免疫付与方法。
【請求項５３】
上記通信ネットワークにおける上記ウイルスの伝送と対比して、速い伝送速度、高い伝送信頼性、高い伝送セキュリティ、および、物理的に分離された伝送経路の少なくともいずれかでアンチウイルスエージェントの伝送を行うバイパスネットワークを用いて、上記通信ネットワークに上記アンチウイルスエージェントを配信するステップは、
上記通信ネットワークに比べて、より高い信頼性で、第１のネットワーク装置および第２のネットワーク装置間における上記アンチウイルスエージェントのエンド・トゥ・エンド伝送を行うバイパスネットワークを用いて、上記通信ネットワークに上記アンチウイルスエージェントを配信することを含む請求項１に記載のマルチネットワークウイルス免疫付与方法。
【請求項５４】
上記通信ネットワークにおける上記ウイルスの伝送と対比して、速い伝送速度、高い伝送信頼性、高い伝送セキュリティ、および、物理的に分離された伝送経路の少なくともいずれかでアンチウイルスエージェントの伝送を行うバイパスネットワークを用いて、上記通信ネットワークに上記アンチウイルスエージェントを配信するステップは、
上記通信ネットワークに比べて、より高いクオリティ・オブ・サービス（QoS）で上記アンチウイルスエージェントの伝送を行うバイパスネットワークを用いて、上記通信ネットワークに上記アンチウイルスエージェントを配信することを含む請求項１に記載のマルチネットワークウイルス免疫付与方法。
【請求項５５】
上記通信ネットワークにおける上記ウイルスの伝送と対比して、速い伝送速度、高い伝送信頼性、高い伝送セキュリティ、および、物理的に分離された伝送経路の少なくともいずれかでアンチウイルスエージェントの伝送を行うバイパスネットワークを用いて、上記通信ネットワークに上記アンチウイルスエージェントを配信するステップは、
上記通信ネットワークに比べてより少ないパケットの取りこぼし数、より短い遅延、より低い配信失敗の可能性（likelihood）、および／または、より少ないエラーのうちの少なくともいずれかで上記アンチウイルスエージェントの伝送を行うバイパスネットワークを用いて、上記通信ネットワークに上記アンチウイルスエージェントを配信することを含む請求項１に記載のマルチネットワークウイルス免疫付与方法。
【請求項５６】
上記通信ネットワークにおける上記ウイルスの伝送と対比して、速い伝送速度、高い伝送信頼性、高い伝送セキュリティ、および、物理的に分離された伝送経路の少なくともいずれかでアンチウイルスエージェントの伝送を行うバイパスネットワークを用いて、上記通信ネットワークに上記アンチウイルスエージェントを配信するステップは、
上記通信ネットワークによって実現されるデータ暗号化よりも、より高水準のデータ暗号化を行うバイパスネットワークを用いて、上記通信ネットワークに上記アンチウイルスエージェントを配信することを含む請求項１に記載のマルチネットワークウイルス免疫付与方法。
【請求項５７】
上記通信ネットワークにおける上記ウイルスの伝送と対比して、速い伝送速度、高い伝送信頼性、高い伝送セキュリティ、および、物理的に分離された伝送経路の少なくともいずれかでアンチウイルスエージェントの伝送を行うバイパスネットワークを用いて、上記通信ネットワークに上記アンチウイルスエージェントを配信するステップは、
上記通信ネットワークに比べてよりセキュアに第１のネットワーク装置および第２のネットワーク装置間における上記アンチウイルスエージェントのポイント・トゥ・ポイント伝送を行うバイパスネットワークを用いて、上記通信ネットワークに上記アンチウイルスエージェントを配信することを含む請求項１に記載のマルチネットワークウイルス免疫付与方法。
【請求項５８】
上記通信ネットワークにおける上記ウイルスの伝送と対比して、速い伝送速度、高い伝送信頼性、高い伝送セキュリティ、および、物理的に分離された伝送経路の少なくともいずれかでアンチウイルスエージェントの伝送を行うバイパスネットワークを用いて、上記通信ネットワークに上記アンチウイルスエージェントを配信するステップは、
上記通信ネットワークに比べてよりセキュアに第１のネットワーク装置および第２のネットワーク装置間における上記アンチウイルスエージェントのエンド・トゥ・エンド伝送を行うバイパスネットワークを用いて、上記通信ネットワークに上記アンチウイルスエージェントを配信することを含む請求項１に記載のマルチネットワークウイルス免疫付与方法。
【請求項５９】
上記通信ネットワークにおける上記ウイルスの伝送と対比して、速い伝送速度、高い伝送信頼性、高い伝送セキュリティ、および、物理的に分離された伝送経路の少なくともいずれかでアンチウイルスエージェントの伝送を行うバイパスネットワークを用いて、上記通信ネットワークに上記アンチウイルスエージェントを配信するステップは、
上記通信ネットワークにおいて、第１のネットワーク装置から、第２のネットワーク装置に上記ウイルスを伝送するのに用いられる経路とは物理的に分離された経路を用いて上記第１のネットワーク装置および上記第２のネットワーク装置間における上記アンチウイルスエージェントのポイント・トゥ・ポイント伝送を行うことができるバイパスネットワークを用いて、上記通信ネットワークに上記アンチウイルスエージェントを配信することを含む請求項１に記載のマルチネットワークウイルス免疫付与方法。
【請求項６０】
上記通信ネットワークにおける上記ウイルスの伝送と対比して、速い伝送速度、高い伝送信頼性、高い伝送セキュリティ、および、物理的に分離された伝送経路の少なくともいずれかでアンチウイルスエージェントの伝送を行うバイパスネットワークを用いて、上記通信ネットワークに上記アンチウイルスエージェントを配信するステップは、
上記通信ネットワークにおいて、上記ウイルスを伝送するのに用いられる経路とは物理的に分離されたネットワーク経路を用いて第１のネットワーク装置および第２のネットワーク装置間における上記アンチウイルスエージェントのエンド・トゥ・エンド伝送を行うことができるバイパスネットワークを用いて、上記通信ネットワークに上記アンチウイルスエージェントを配信することを含む請求項１に記載のマルチネットワークウイルス免疫付与方法。
【請求項６１】
（ａ）通信ネットワークに関連付けられたウイルスを特定するための１または複数の命令、および、
（ｂ）上記通信ネットワークにおける上記ウイルスの伝送と対比して、速い伝送速度、高い伝送信頼性、高い伝送セキュリティ、および、物理的に分離された伝送経路の少なくともいずれかでアンチウイルスエージェントの伝送を行うバイパスネットワークを用いて、上記通信ネットワークに上記アンチウイルスエージェントを配信するための１または複数の命令のうちの少なくとも一方を有する信号担持媒体を含むマルチネットワークウイルス免疫付与コンピュータプログラム製品。
【請求項６２】
上記信号担持媒体は、コンピュータ読み取り可能な媒体を含む請求項６１に記載のマルチネットワークウイルス免疫付与コンピュータプログラム製品。
【請求項６３】
上記信号担持媒体は、記録可能な媒体を含む請求項６１に記載のマルチネットワークウイルス免疫付与コンピュータプログラム製品。
【請求項６４】
上記信号担持媒体は、通信媒体を含む請求項６１に記載のマルチネットワークウイルス免疫付与コンピュータプログラム製品。
【請求項６５】
計算装置を備え、上記計算装置において実行されたときに、上記計算装置に、
（ａ）通信ネットワークに関連付けられたウイルスを特定させ、および、
（ｂ）上記通信ネットワークにおける上記ウイルスの伝送と対比して、速い伝送速度、高い伝送信頼性、高い伝送セキュリティ、および、物理的に分離された伝送経路の少なくともいずれかでアンチウイルスエージェントの伝送を行うバイパスネットワークを用いて、上記通信ネットワークに上記アンチウイルスエージェントを配信させるための命令を含むマルチネットワークウイルス免疫付与システム。
【請求項６６】
上記計算装置は、１または複数のサーバー、パーソナル・デジタル・アシスタント（ＰＤＡ;personal digital assistant）または携帯電話機、ラップトップコンピュータ、タブレットＰＣ（personal computer）、ネットワークコンピュータ、プロセッサのクラスターを含む計算システム、ワークステーションコンピュータ、デスクトップコンピュータからなる請求項６５に記載のマルチネットワークウイルス免疫付与システム。
【請求項６７】
上記計算装置は、上記バイパスネットワークを用いて、上記アンチウイルスエージェントを上記通信ネットワークに供給するとともに、
上記通信ネットワークにおける上記ウイルスの伝播を、阻止、低減、または、抑制するように機能する請求項６５に記載のマルチネットワークウイルス免疫付与システム。
【請求項６８】
（ａ）通信ネットワークに関連付けられたウイルスを特定することができるネットワーク監視手段と、
（ｂ）上記通信ネットワークにおける上記ウイルスの伝送と対比して、速い伝送速度、高い伝送信頼性、高い伝送セキュリティ、および、物理的に分離された伝送経路の少なくともいずれかでアンチウイルスエージェントの伝送を行うバイパスネットワークを用いて、上記通信ネットワークに上記アンチウイルスエージェントを配信することができる反応生成手段と、を備えるマルチネットワークウイルス免疫付与システムを含むマルチネットワークウイルス免疫付与装置。
【請求項６９】
上記ネットワーク監視手段は、上記通信ネットワークにおける上記ウイルスの検知のための検知規則に従って動作する請求項６８に記載のマルチネットワークウイルス免疫付与装置。
【請求項７０】
上記反応生成手段は、上記アンチウイルスエージェントの決定と、上記バイパスネットワークを用いた上記通信ネットワークへの上記アンチウイルスエージェントの供給とに関連する反応規則に従って動作する請求項６８に記載のマルチネットワークウイルス免疫付与装置。
【発明の詳細な説明】
【発明の詳細な説明】
【０００１】
〔概要〕
本発明に係る実施形態では、マルチネットワークウイルス免疫付与方法を実現する。一実施形態において、マルチネットワークウイルス免疫付与方法は、これに限られないが、通信ネットワークと関連付けられたウイルスを特定するステップと、アンチウイルスエージェントの伝送において、上記通信ネットワークにおける上記ウイルスの伝送に対して、より速い伝送速度、より高い伝送信頼性、より高い伝送セキュリティ、物理的に分離された伝送経路のうちの少なくとも１つを実現するよう構成されているバイパスネットワークを用いて上記通信ネットワークに上記アンチウイルスエージェントを配信するステップと、を含む。これに加えて、本開示の一部を形成する請求項、図面、および／または明細書には、他のマルチネットワークウイルス免疫付与方法に係る態様が記載されている。
【０００２】
また、本発明に係る実施形態では、マルチネットワークウイルス免疫付与コンピュータプログラム製品を実現する。マルチネットワークウイルス免疫付与コンピュータプログラム製品は、これに限られないが、通信ネットワークに関連付けられたウイルスを特定するための１または複数の命令、および、上記通信ネットワークにおける上記ウイルスの伝送と対比して、速い伝送速度、高い伝送信頼性、高い伝送セキュリティ、および、物理的に分離された伝送経路の少なくともいずれかでアンチウイルスエージェントの伝送を行うバイパスネットワークを用いて、上記通信ネットワークに上記アンチウイルスエージェントを配信するための１または複数の命令のうちの少なくとも一方を有する信号担持媒体を含む。これに加えて、本開示の一部を形成する請求項、図面、および／または明細書には、他のマルチネットワークウイルス免疫付与コンピュータプログラム製品に係る態様が記載されている。
【０００３】
また、本発明に係る実施形態では、マルチネットワークウイルス免疫付与システムを実現する。マルチネットワークウイルス免疫付与システムは、これに限られないが、計算装置および命令を含む。上記命令は、上記計算装置において実行されたときに、上記計算装置に、通信ネットワークに関連付けられたウイルスを特定させ、および、上記通信ネットワークにおける上記ウイルスの伝送と対比して、速い伝送速度、高い伝送信頼性、高い伝送セキュリティ、および、物理的に分離された伝送経路の少なくともいずれかでアンチウイルスエージェントの伝送を行うバイパスネットワークを用いて、上記通信ネットワークに上記アンチウイルスエージェントを配信させる。これに加えて、本開示の一部を形成する請求項、図面、および／または明細書には、他のマルチネットワークウイルス免疫付与システムに係る態様が記載されている。
【０００４】
また、本発明に係る実施形態では、マルチネットワークウイルス免疫付与装置を実現する。マルチネットワークウイルス免疫付与装置は、これに限られないが、通信ネットワークに関連付けられたウイルスを特定することができるネットワーク監視手段と、上記通信ネットワークにおける上記ウイルスの伝送と対比して、速い伝送速度、高い伝送信頼性、高い伝送セキュリティ、および、物理的に分離された伝送経路の少なくともいずれかでアンチウイルスエージェントの伝送を行うバイパスネットワークを用いて、上記通信ネットワークに上記アンチウイルスエージェントを配信することができる反応生成手段と、を備えるマルチネットワークウイルス免疫付与システムを含む。これに加えて、本開示の一部を形成する請求項、図面、および／または明細書には、他のマルチネットワークウイルス免疫付与装置に係る態様が記載されている。
【０００５】
これらに加え、種々の他の実施形態が、本説明の文章（特許請求の範囲、および／または詳細な説明）、および／または、図面において説明され、記載されている。
【０００６】
これらは、概要であり、そのため必要に応じて、単純化、一般化、詳細の省略を含み、その結果、当業者であれば、この概要が、単に例示的なものであり、なんらかの制限を示唆するものではないことがわかるだろう。本開示に示す他の態様、構成、装置および／または処理の有利な点は、特許請求の範囲によって定義されるように、本明細書の詳細な説明において示されることから明らかになるだろう。
【０００７】
〔図面の簡単な説明〕
図１は、好ましくは装置として実現可能な実施形態に係るマルチネットワークウイルス免疫付与システムを示す図である。
【０００８】
図２は、図１に示すマルチネットワークウイルス免疫付与システムの通信ネットワークの実施形態の一例を示す図である。
【０００９】
図３は、図１に示すマルチネットワークウイルス免疫付与システムの（複数の）バイパスネットワークの実施形態の一例を示す図である。
【００１０】
図４は、マルチネットワークウイルス免疫付与を行う技術に関する動作例を示す動作フローを示す図である。
【００１１】
図５は、図４に示す動作フロー例の他の実施形態を示す図である。
【００１２】
図６は、図４に示す動作フロー例の他の実施形態を示す図である。
【００１３】
図７は、図４に示す動作フロー例の他の実施形態を示す図である。
【００１４】
図８は、図４に示す動作フロー例の他の実施形態を示す図である。
【００１５】
図９は、図４に示す動作フロー例の他の実施形態を示す図である。
【００１６】
図１０は、図４に示す動作フロー例の他の実施形態を示す図である。
【００１７】
図１１は、図４に示す動作フロー例の他の実施形態を示す図である。
【００１８】
図１２は、図４に示す動作フロー例の他の実施形態を示す図である。
【００１９】
図１３は、図４に示す動作フロー例の他の実施形態を示す図である。
【００２０】
図１４は、図４に示す動作フロー例の他の実施形態を示す図である。
【００２１】
図１５は、図４に示す動作フロー例の他の実施形態を示す図である。
【００２２】
図１６は、図４に示す動作フロー例の他の実施形態を示す図である。
【００２３】
図１７は、図４に示す動作フロー例の他の実施形態を示す図である。
【００２４】
図１８は、図４に示す動作フロー例の他の実施形態を示す図である。
【００２５】
図１９は、計算装置において計算処理を実行するためのコンピュータプログラムを含むコンピュータプログラム製品の実施例の一部を示す図である。
【００２６】
図２０は、実現可能な実施形態に係るシステム例を示す図である。
【００２７】
異なる図面において同一の符号を用いる場合は、通常、類似または同一の項目を示す。
【００２８】
〔詳細な説明〕
図１は、実現可能な実施形態に係るマルチネットワークウイルス免疫付与システム１００を示す図である。図１の例において、マルチネットワークウイルス免疫付与システム１００は、例えば、悪意あるソフトウェアコードによる損害を、防いだり、軽減したり、または、コンピュータネットワーク内のあらゆる望ましくないコードまたは挙動の伝播／複製を制限するように機能することができる。例えば、マルチネットワークウイルス免疫付与システム１００は、第２のネットワークを用いて、競合する、かつ、本質的に有利な、望ましいコードの伝播／複製を開始することによって、第１のネットワーク内における、望ましくないコードの伝播／複製を制限する。
【００２９】
図１の例において、この第１のネットワークの実施例は、通信ネットワーク１０２として示されている。通信ネットワーク１０２は、例えば、ユーザおよび／またはネットワーク装置が、相互に望ましい情報交換を行うことができるような、ほとんどあらゆるコンピュータネットワークを含み、この相互に望ましい情報交換は、通信データを含んでいてもよく、および／または、通信データそのものであってもよい。例えば、通信データは、送信相手および受信相手の双方から要求される音声、または、ｅメールのトラフィックを含んでいてもよく、もしくは、送信相手および受信相手の双方から要求されるファイル転送（例えば、映像および／またはオーディオファイル転送を含む）を含んでいてもよい。通信ネットワーク１０２は、例えば、仮想ローカル・エリア・ネットワーク、仮想私設ネットワーク（ＶＰＮ）、および／または、企業イントラネットを含んでいてもよく、また、この実施例において、例えば、公共のインターネットのような、より大きなネットワークの部分（例えば、部分集合）として実現されていてもよい。通信ネットワーク１０２および通信データの他の実施例についてはここで、より詳細に示す。
【００３０】
さらに図１の例において、マルチネットワークウイルス免疫付与システム１００の一部として参照される第２のネットワークの実施例は、論理バイパスネットワーク１０４および／または物理バイパスネットワーク１０６および／または他のバイパスネットワークの実施例を含んでいてもよい。その詳細についてここに示す。例えば、論理バイパスネットワーク１０４は、通信ネットワーク１０２から少なくとも部分的に論理的に分離されたコンピュータネットワークを含んでいてもよい（例えば、少なくとも論理バイパスネットワーク１０４の１つ以上のセグメントが、通信ネットワーク１０２から論理的に分離されていてもよい）。例えば、通信ネットワーク１０２および論理バイパスネットワーク１０４は、共に、計算装置からなる同一の集合（または部分集合）において実現されていてもよい。この場合、計算装置は、物理的に互いに接続されている一方で、異なるネットワークプロトコルを実装しているか、または、同一のまたは類似のネットワークプロトコルの異なるインスタンスを実装しているか、または、プロトコルスタックの異なるレイヤにて実現されているか、あるいは互いに論理的に分離されている。
【００３１】
例えば、通信ネットワーク１０２および論理バイパスネットワーク１０４の両方に共通のコンピュータには、通信ネットワーク１０２における第１のインターネット・プロトコル（ＩＰ）アドレスと、論理バイパスネットワーク１０４における第２のＩＰアドレスが割り当てられていてもよい。通信ネットワーク１０２および論理バイパスネットワーク１０４に共通のコンピュータは、共通のハブ、スイッチ、または、他のネットワーク装置を共有していてもよいが、それでもなお、それらの間では、ある種の変換または媒介なしには、通常は、互いに通信することができないような論理的に分離されたネットワークを表していると理解されるべきである。例えば、ここに詳細に述べるように、このような変換および／または媒介を、ルータ、または、通信ネットワーク１０２および論理バイパスネットワーク１０４に接続しているゲートウェイにおいて行ってもよい。
【００３２】
物理バイパスネットワーク１０６は、例えば、通信ネットワーク１０２から、少なくとも部分的には物理的に分離されたネットワークである。例えば物理バイパスネットワーク１０６は、コンピュータ、または、その他のネットワーク装置であって、通信ネットワーク１０２にあるものとは異なる物理的な装置、および／または、異なる（種類の）伝送媒体および／または技術を用いて通信するもの、および／または、物理的に相異なるネットワークトポロジを用いるように構成されているものを含んでいてもよい。例えば、通信ネットワーク１０２は、有線方式（例えば、イーサネット（登録商標）および／または光ファイバー）で互いに接続されている１つ以上のローカル・エリア・ネットワーク（ＬＡＮ）を含んでいてもよく、物理バイパスネットワーク１０６は、衛星ベースのネットワーク、携帯電話ネットワーク、または、その他の物理的に分離されたネットワークを含んでいてもよい。これらの実施例についてはここで、より詳細に説明する。
【００３３】
言うまでも無く、図１の例は、論理バイパスネットワーク１０４および物理バイパスネットワーク１０６を示しているが、これらは、限定されない例を意図しているに過ぎず、付加的な、または、代替的なバイパスネットワークの実施例を、マルチネットワークウイルス免疫付与システム１００において用いることができる。また、論理バイパスネットワーク１０４および物理バイパスネットワーク１０６の両方が図１において示されているが、（本開示に示すような）マルチネットワークウイルス免疫付与システム１００のあらゆる実施形態において、ただ１つのバイパスネットワークだけを用いてもよいことは、明らかである。
【００３４】
本開示において示すように、論理バイパスネットワーク１０４および／または物理バイパスネットワーク１０６は、通信ネットワーク１０２における望ましくないコードまたは挙動の伝播／複製を制限したり、低減したりするために用いられてもよい。図１の例において、ウイルス１０８は、あらゆるこのような望ましくないコードおよび挙動を示す、または、含むものであるが、これに限られず、例えば、損害を与えることを望む者または通信ネットワーク１０２の迷惑ユーザによって、通信ネットワーク１０２内に作成された、および／または、配信された悪意のあるコードを含んでいてもよい。例えば、ウイルス１０８は、このようなネットワーク装置におけるデータを、例えば、破壊し、改変し、または、生成するために通信ネットワーク１０２のネットワーク装置に感染することができる自己複製力および／または自己伝播力を有する（そして、おそらく進化する）コードを含んでいてもよい。より一般的には、ウイルス１０８は、機密性、完全性、可用性、責任、および／または、装置および／または通信ネットワーク１０２の伝送の精度を攻撃するあらゆるコードを実質的に含んでいてもよい。さらに一般的には、ウイルス１０８は、これまで述べた意味での悪意がある必要はなく、ただ単に、通信ネットワーク１０２において、通信ネットワーク１０２の管理者またはその他のユーザにとって望ましくないものであればもよい。さらなるウイルス１０８の例について、ここより詳細に説明する。
【００３５】
図１の例に示す、免疫付与システム１１０は、通信ネットワーク１０２に関連付けられているウイルス１０８を判定できるようになっている。また、免疫付与システム１１０は、例えば、論理バイパスネットワーク１０４および／または物理バイパスネットワーク１０６のようなバイパスネットワークを用いて通信ネットワーク１０２にアンチウイルスエージェント１１２および／またはアンチウイルスエージェント１１４を配信することができるようになっている。論理バイパスネットワーク１０４および／または物理バイパスネットワーク１０６は、通信ネットワーク１０２におけるウイルス１０８の伝送と対比して、より速い伝送速度、より高い伝送信頼性、より高い伝送セキュリティ、物理的に分離された伝送経路のうち少なくともいずれかでアンチウイルスエージェント１１２および／またはアンチウイルスエージェント１１４の伝送を行うように構成されている。このようにして、ウイルス１０８が、通信ネットワーク１０２において拡散したり、存在したりすることを阻止または制限することができる。
【００３６】
この点に関して、ウイルス１０８は、非常に迅速な、および／または、発見および／または駆除が困難な態様で、通信ネットワーク１０２において複製、存在、および／または、伝播するものと理解されるべきである。実際のところ、多くの場合、ウイルス１０８は、具体的には、通信ネットワーク１０２内に封じ込めることが困難であるように設計される。例えば、ウイルス１０８は、マルチキャストまたはブロードキャストの方式で拡散してもよく、通信ネットワーク１０２の装置に、指数関数的に感染を拡大させてもよい。他の例としては、ウイルス１０８は、通信ネットワーク１０２の装置に感染して、ウイルス１０８がネットワーク装置の大半に拡散する間、少なくとも初期には、感染したネットワーク装置１１６において何ら行動を起こさないように設計されていてもよい。そして、ウイルス１０８は、（例えば、所定の時間またはきっかけにより）、同時に、多数のネットワーク装置において、感染が発覚し、損害が発生するように行動する。特に、たとえば、ウイルス１０８が十分に検査され、かつ、解析されるまでは、ウイルス１０８に対する治癒法または緩和法の特異性および有効性が向上しないことが多いため、多くの場合、ウイルス１０８は、通信ネットワーク１０２における伝播性について先天的に有利な点（例えば、先駆け（head-start））を有している。
【００３７】
それゆえ、マルチネットワークウイルス免疫付与システム１００は、アンチウイルスエージェント１１２（および／またはアンチウイルスエージェント１１４）を伝送するための、代替の、帯域外の、または有利なチャネルおよび／または経路を提供するために、論理バイパスネットワーク１０４および／または物理バイパスネットワーク１０６のようなバイパスネットワークを用いる。本開示において示すように、このようなバイパスネットワークの１つ以上の特性および／または指標は、通信ネットワーク１０２におけるウイルス１０８を抑止し、制限する際に、その有効性を高めるような有利なものであるので、アンチウイルスエージェント１１２、１１４の配信が可能となる。
【００３８】
例えば、論理バイパスネットワーク１０４は、通信ネットワーク１０２により提供される、感染しているネットワーク装置１１６から感染していないネットワーク装置１１８へのウイルス１０８の伝送よりも、より速い伝送速度、より短い待ち時間、より効率的な速度、および／または、より短い伝送時間で、通信ネットワーク１０２の感染していないネットワーク装置１１８へのアンチウイルスエージェント１１２の伝送を提供することができる。より一般的には、通信ネットワーク１０２にウイルス１０８が拡散すると、免疫付与システム１１０は、ウイルス１０８が拡大する前に、アンチウイルスエージェント１１２を配信するために、論理バイパスネットワーク１０４を用いる。このように、アンチウイルスエージェント１１２は、通信ネットワーク１０２の感染していない（つまり、まだ感染していない）ネットワーク装置にウイルス１０８に対する免疫を付与する。従って、ウイルス１０８が宿主として利用できる通信ネットワーク１０２上のネットワーク装置が少なくなればなるほど、通信ネットワーク１０２におけるウイルス１０８の拡散は、減速し、または阻止される。
【００３９】
アンチウイルスエージェント１１４を配信する際の物理バイパスネットワーク１０６についても同様のことが言える。また、本開示において示すように、物理バイパスネットワーク１０６（および／または論理バイパスネットワーク１０４）に関連付けられている他の特性および／または指標が、通信ネットワーク１０２におけるアンチウイルスエージェント１１４（および／またはアンチウイルスエージェント１１２）の配信において用いられてもよい。例えば、物理バイパスネットワーク１０６は、通信データおよび／またはウイルス１０８の送信において通信ネットワーク１０２が利用できるものよりも、高い信頼性および／または高いセキュリティで、アンチウイルスエージェント１１４の伝送を提供することができる。高い信頼性とは、例えば、アンチウイルスエージェント１１４の伝送における、通信ネットワーク１０２において利用できるものよりも高いポイント・トゥ・ポイントおよび／またはエンド・トゥ・エンドの信頼性を含む。同様に、高いセキュリティとは、例えば、高いポイント・トゥ・ポイントおよび／またはエンド・トゥ・エンドのセキュリティ（例えば暗号化）を含む。有効に高い信頼性および／またはセキュリティにより、物理バイパスネットワーク１０６は、ウイルス１０８の拡散を阻止または制限できるように通信ネットワーク１０２にアンチウイルスエージェント１１４が送信される可能性または期待値を高めることができる。
【００４０】
いくつかの実施例では、アンチウイルスエージェント１１２、１１４は、自己複製力および／または自己伝播力を有していてもよい。従って、一度通信ネットワークに展開されれば、アンチウイルスエージェント１１２、１１４は、複数の感染していない装置に拡散することができ、このような感染していない装置に、すぐにウイルス１０８の拡散に対する免疫を付与することができる。論理バイパスネットワーク１０４および物理バイパスネットワーク１０６の特性によってもたらされる利点のおかげで、アンチウイルスエージェント１１２、１１４は、それぞれ、通信ネットワーク１０２において伝播するウイルス１０８が有するいかなる利点をも相殺し、または、それに打ち勝つことができ、またこのため、ウイルス１０８の伝播を、有効に阻止し、制限することができる。
【００４１】
図１の例において、免疫付与システム１１０は、通信ネットワーク１０２におけるウイルス１０８を特定することができるネットワーク監視部１２０を含んでいてもよい。例えば、ネットワーク監視部１２０は、検知規則１２２に従って、および／または、既知のウイルスデータ１２４を用いることでウイルス１０８を検知および／または識別してもよい。例えば、検知規則１２２は、通信ネットワーク１０２のネットワーク装置を選択したり、走査したりするパラメータ（例えば、どの、または、いくつのネットワーク装置を走査し、どれくらいの頻度で行うか）を構成していてもよく、またネットワーク監視部１２０は、これらの、および／または、他の例の検知規則１２２に従って動作してもよい。ネットワーク監視部１２０は、また既知のウイルスデータ１２４を用いて、例えば、ウイルス１０８のシグネチャと、そこに記憶している既知のウイルスのシグネチャとを、検知規則１２２に従って比較することでウイルス１０８を特定してもよい。ネットワーク監視部１２０、検知規則１２２、および、ウイルスデータ１２４の性質および動作の種々の実施例は、ここで、より詳細に説明する。
【００４２】
また、免疫付与システム１１０は、ウイルス１０８の反応（response）を生成するためネットワーク監視部１２０と通信可能な反応生成部（response generator）１２６を含んでいる。反応生成部１２６は、例えば、アンチウイルスエージェント１１２、１１４の生成、および／または、論理バイパスネットワーク１０４および物理バイパスネットワーク１０６を用いたアンチウイルスエージェント１１２、１１４の配信を制御するための反応規則（response rules）１２８に従って動作してもよい。例えば、反応生成部１２６は、論理バイパスネットワーク１０４および物理バイパスネットワーク１０６のいずれ（両方利用可能な場合）を用いるかを決定するために反応規則１２８を用いる。反応規則１２８は、反応生成部１２６が、ウイルス１０８を生成し、配信し、または、供給するためにアンチウイルスエージェントデータ１３０を用いるように制御するためのものであってもよい。例えば、反応生成部１２６は、ネットワーク監視部１２０によって供給される情報、および／または、反応規則１２８に基づいて、アンチウイルスエージェントデータ１３０において利用可能なアンチウイルスエージェントおよび／またはアンチウイルス配信戦略のうちいくつか考えられるものを選択する。
【００４３】
他の例として、反応生成部１２６が、物理バイパスネットワーク１０６を用いて通信ネットワーク１０２にアンチウイルスエージェント１１４への参照１３２をまず配信してアンチウイルスエージェント１１４を供給してもよい。例えば、参照１３２は、感染していないネットワーク装置１１８が、例えば、アンチウイルスエージェントデータ１３０から、実際のアンチウイルスエージェント１１４を手に入れる、または、それにアクセスすることができるようなポインタ、リンク、または、ウイルスエージェント１１４の識別子を含んでいてもよい。反応生成部１２６、および／または、アンチウイルスエージェントデータ１３０の性質および動作の種々の実施例をここで、より詳細に示す。
【００４４】
図１において、免疫付与システム１１０は、（単一の、一般の）装置１３４において実現されている。これは、本開示において示すような機能や、構成を動作させることができる、例えば、デスクトップコンピュータ、ワークステーションコンピュータ、サーバー、パーソナル・デジタル・アシスタント（ＰＤＡ）、または、携帯電話機、ラップトップコンピュータ、タブレットＰＣ（Personal Computer）、ネットワークコンピュータ、または、プロセッサのクラスターから構成される計算システムを含む実質的にあらゆる計算装置を示している。また、免疫付与システム１１０は、感染しているネットワーク装置１１６、感染していないネットワーク装置１１８、通信ネットワーク１０２および論理バイパスネットワーク１０４に関連付けられているネットワークトラフィック管理部１３６、または、通信ネットワーク１０２の間におけるネットワークトラフィック管理部１３８における（または、関連付けられている）全体、または、一部分において実現されている。例えば、ネットワークトラフィック管理部１３６、１３８は、ルータ、ゲートウェイ、ファイアウォール、または、ネットワークポリシーを実現しているおよび／またはネットワークトラフィックを管理しているその他の装置を含んでいてもよい。
【００４５】
例えば、ネットワークトラフィック管理部１３６は、通信ネットワーク１０２および論理バイパスネットワーク１０４の間における変換を実現し、通信ネットワーク１０２および論理バイパスネットワーク１０４の両方に参加しているルータであってもよい。このような実施例では、ネットワークトラフィック管理部１３６は、通信ネットワークにおけるウイルス１０８を検知するためのネットワーク監視部１２０および検知規則１２２、および／または、アンチウイルスエージェント１１２を配信するための反応生成部１２６および／または反応規則１２８を備えていてもよい。
【００４６】
例えば、ネットワークトラフィック管理部１３６は、アンチウイルスエージェント１１２と関連付けられているものとしてタグ付けされたネットワークトラフィックを認識し、優先順位付けることのできるタグ優先順位付けルータ（例えば、マルチプロトコル・ラベル・スイッチング（ＭＰＬＳ；Multiprotocol Label Switching）を実装するもの）含んでいてもよい。例えば、ネットワークトラフィックの上位の“ｎ”タグは、アンチウイルスエージェント１１２に関連付けられているものとしてネットワークトラフィック管理部１３６において予約されていてもよい。このように、例えば、アンチウイルスエージェント１１２は、通信ネットワーク１０２および論理バイパスネットワーク１０４が、同一の計算装置および／またはネットワークトラフィック管理部を共有していたとしても、通信ネットワーク１０２においてウイルス１０８の前に供給されるようになっている。
【００４７】
また、図１において、事業体１４０は、論理バイパスネットワーク１０４および／または物理バイパスネットワーク１０６を所有し、保証し、担保し、供給し、または、提供するものとして示されている。図１には直接図示していないが、事業体１４０、または他の事業体（図１には図示せず）は、通信ネットワーク１０２も同様に提供してもよい。従って、事業体１４０は、１つ以上の通信ネットワーク１０２、論理バイパスネットワーク１０４、物理バイパスネットワーク１０６および／またはネットワークトラフィック管理部１３６、１３８を連動させて、免疫付与システム１１０の一部または全部を実現する責務を負っている。
【００４８】
例えば、事業体１４０は、１つ以上のネットワークサービスプロバイダまたはアンチウイルスサービスプロバイダ、および／または、サードパーティの事業体であって、課金、または、ネットワークサービスプロバイダ（例えば、料金と引き換えに、定義されたまたは望まれる特性またはユーザを有する仮想私設ネットワーク（ＶＰＮ；Virtual Private Network）として通信ネットワーク１０２を供給する）の代わりに通信ネットワーク１０２を定義し、供給することに関連する他のサービスを行うものであってもよい。このように、１つ以上の通信ネットワーク１０２、論理バイパスネットワーク１０４、および／または、物理バイパスネットワーク１０６（へのアクセス）は、１つ以上の通信ネットワーク１０２、論理バイパスネットワーク１０４、および／または物理バイパスネットワーク１０６の事業体および受領者／ユーザの間おけるサービス・レベル・アグリーメント（ＳＬＡ；Service Level Agreement）に連動して実現されていてもよい。１つ以上の通信ネットワーク１０２、論理バイパスネットワーク１０４、および／または、物理バイパスネットワーク１０６は、例えば、事業体１４０により管理されているネットワークと思料できる。このように、１つ以上の通信ネットワーク１０２、論理バイパスネットワーク１０４、および／または、物理バイパスネットワーク１０６は、本質的に互いに独立して動作するものであり、および／または、別々の／区別された管理コンソールを用いるものであってもよい。
【００４９】
このため、ここに示す説明は、ユーザ１４２は、１つ以上の通信ネットワーク１０２、論理バイパスネットワーク１０４、および／または、物理バイパスネットワーク１０６を提供される（またはそれらへのアクセスを提供される）ものと解すべきである。ユーザ１４２は、例えば、一消費者、従業員、サービスプロバイダ、または、その他の者であってもよく、また、企業または他の事業体（例えば、通信ネットワーク１０２を企業イントラネットの一部として従業員に提供する企業）であってもよい。
【００５０】
従って、ユーザ１４２は、事業体１４０に対する支払いと引き換えに、１つ以上の通信ネットワーク１０２、論理バイパスネットワーク１０４、および／または、物理バイパスネットワーク１０６の恩恵を得ることができる。ここでは、支払いとは、通常、金銭的対価、および／または、非金銭的対価、および／または、経済的価値の交換のことを指す。これは例示の目的であって、限定されることなく、支払いとは、非金銭的な支払い、つまり、ユーザ１４２に対する費用を削減したり、除去したりすることや、事業体１４０に対し特定の権利または認可を与えたりすることの対価（例えば、事業体１４０に、市場取引または調査用のデータベースを維持するためのユーザ１４２の個人的な情報を含むユーザ１４２の特定の情報に対する権限を付与する等）のことを含んでいてもよい。
【００５１】
図２は、図１のマルチネットワークウイルス免疫付与システムの通信ネットワークの実施形態の例を示している。図２において、通信ネットワーク１０２は、１つ以上の公共インターネット２０２、コモディティネットワーク２０４（例えば、ＶＰＮ）のような公共インターネット２０２の一部、企業イントラネット２０６、ピア・トゥ・ピアネットワーク２０８、衛星ネットワーク２１０、または、衛星無線ネットワーク２１２のような特定の種類の衛星ネットワーク２１０を含む場合がある。勿論、図２の例は、通信ネットワーク１０２の一実施例であり、これに限られず、その他の多くの例および実現例を用いることができる。また、ここに示す説明は、事業体１４０が、図２に示す、１つ以上の実施例としてのネットワーク２０２−２１２を供給したり、それらに対するアクセスを供給したりすることに関連しているものと理解されるべきである。
【００５２】
図３は、図１のマルチネットワークウイルス免疫付与システムのバイパスネットワーク１０４、１０６の実施形態の一例を示している。図２に示すバイパスネットワーク３０２は、論理バイパスネットワーク１０４および／または物理バイパスネットワーク１０６の一方または両方、および／またはその他のバイパスネットワークを示す、または、含むものとして理解されるべきである。本開示において詳細に示し、説明するように、バイパスネットワーク３０２は、通信ネットワーク１０２におけるウイルス１０８の伝送に対して、より速い伝送速度３０４、より高い伝送信頼性、および／または、物理的に別の伝送経路３０８、および、より高い伝送セキュリティ３１０のうちの少なくとも１つを実現するように構成されていてもよい。
【００５３】
このようにする場合、上述のとおり、バイパスネットワーク３０２は、物理バイパスネットワーク１０６および／または論理バイパスネットワーク１０４を用いる。図３において、物理バイパスネットワーク１０６の実施例は、衛星ネットワーク３１２（衛星無線ネットワーク３１４を含む場合有り）、携帯電話ネットワーク３１６、または、ピア・トゥ・ピアネットワーク３１８（例えば、ピア・トゥ・ピアネットワーク２０８のように通信ネットワーク１０２と接続しているが、これとは別のまたは独立している別のピア・トゥ・ピアネットワーク３２０を含む場合有り）のうちの少なくとも１つを含むものとして示されている。
【００５４】
また、図３において、論理バイパスネットワーク１０４は、デジタルリンクにおけるアナログチャネル３２２（例えば、デジタル／ブロードバンドケーブルネットワーク３２４におけるアナログチャネルを含む）を含むものとして示されている。また、論理バイパスネットワーク１０４は、優先的なルータトラフィック、例えば、ネットワークトラフィック管理部１３６に関するもので本開示において示すものを含む
図３において、事業体１４０は、バイパスネットワーク３０２を援助する、または、供給する（または、そこへのアクセスを提供する）ものとして示されている。言うまでもなく、事業体１４０は、１つ以上の事業体から構成されていてもよく、バイパスネットワーク３０２を供給する事業体と、異なる事業体が、通信ネットワーク１０２を援助し、供給してよいものと理解されるべきである。
【００５５】
また、図３において、ネットワーク１０４、１０６、および３０４―３２４は、バイパスネットワーク３０２の供給例において、破線で示されている。また、勿論、図示された接続は、単に説明のためのものであって、どのようにバイパスネットワークが、接続され、相互接続され、また、供給されるかは、制限されない。
【００５６】
図４は、マルチネットワークウイルス免疫付与システムの技術に関する動作の実施例である動作フロー４００を示している。図４において、および、動作フローの種々の実施例を含む後続の図において、前述の図１−３の例に関して、および／または、他の例および状況に関しての考察および説明が示される。しかしながら、動作フローは、多くの他の環境および状況、および／または、図１−３の変形版において実行されるものと理解されるべきである。また、種々の動作フローが、順に示されているが、これらの種々の動作フローは、示されているものと異なる順で実行してもよいし、または同時に実行してもよいものとして理解されるべきである。
【００５７】
動作を開始した後、動作フロー４００は、通信ネットワークに関連付けられたウイルスを特定する特定動作４１０に移行する。例えば、図１に示すように、免疫付与システムのネットワーク監視部１２０は、通信ネットワーク１０２に関連付けられたウイルス１０８を検知するために、例えば、検知規則１２２に従って通信ネットワーク１０２を監視できるようになっていてもよい。例えば、ウイルス１０８は、潜在しているウイルスおよび／または（確定的ではないが）存在していると想定されているウイルスであってもよく、通信ネットワーク１０２が、（潜在している）ウイルス１０８の種類に特に感染しやすいという意味で通信ネットワークに関連付けられているものとして特定されてもよい。このような場合、ウイルス１０８は、まだ存在していなくてもよく、または、実際に通信ネットワーク１０２に配信されていなくてもよい（例えば、ウイルス１０８の悪意のある供給者がウイルス１０８を配信するおそれがあるだけでよい）。
【００５８】
そして、配信動作４２０において、アンチウイルスエージェントが、上記通信ネットワークにおける上記ウイルスの伝送と対比して、速い伝送速度、高い伝送信頼性、高い伝送セキュリティ、および、物理的に分離された伝送経路の少なくともいずれかでアンチウイルスエージェントの伝送を行うバイパスネットワークを用いて、上記通信ネットワークに配信される。例えば、免疫付与システム１１０は、アンチウイルスエージェント１１２を、論理バイパスネットワーク１０４を用いて通信ネットワーク１０２に配信してもよく、論理バイパスネットワーク１０４において、アンチウイルスエージェント１１２が、ネットワークトラフィック管理部１３６および／または感染していないネットワーク装置１１８を用いて通信ネットワーク１０２に供給されてもよい。その他の例として、免疫付与システム１１０は、アンチウイルスエージェント１１４を、物理バイパスネットワーク１０６を用いて通信ネットワーク１０２に配信してもよく、物理バイパスネットワーク１０６において、アンチウイルスエージェント１１４が、ネットワークトラフィック管理部１３８および／または感染していないネットワーク装置１１８を用いて通信ネットワーク１０２に供給されてもよい。より詳細に例示すれば、反応生成部１２６が、（ａ）アンチウイルスエージェント１１２、１１４を、生成し、編成し、または取得し、（ｂ）アンチウイルスエージェント１１２、１１４を配信するのに最適なバイパスネットワークを決定（例えば、アンチウイルスエージェント１１２、１１４の配信およびウイルス１０８の抑制に最も適している論理バイパスネットワーク１０４および／または物理バイパスネットワーク１０６の特性を決定する）し、そして（ｃ）通信ネットワーク１０２にアンチウイルスエージェント１１２、１１４を配信するための配信戦略を決定する（例えば、通信ネットワーク１０２において高度な接続性をもつ通信ネットワーク１０２のネットワーク装置にアンチウイルスエージェント１１２、１１４を配信し、これにより、アンチウイルスエージェント１１２、１１４の迅速な流布を実現する）ように機能してもよい。
【００５９】
動作４１０−４２０の結果として、ローカルまたは遠隔のどちらかのデジタルデータの記憶装置に関する、または、他の形式のデジタルデータの伝送に関する動作が実行されてもよい。本開示において示すように、特定動作４１０および／または配信動作４２０のためのデジタルデータを、アクセスする、照会する、呼び出す、または決定することに加えて、デジタルデータを、保存する、割り当てる、関連付ける、またはアーカイブ保管することに関する動作、例えば、遠隔メモリからのデジタルデータの伝送を送信および／または受信等の動作が実行されてもよい。よって、このようなあらゆる動作には、少なくとも動作を指揮するオペレータ（例えば、人間か、またはコンピュータ）、送信コンピュータ、および／または、受信コンピュータを含む構成要素が関与してもよく、このようなあらゆる動作は、これらの構成要素の少なくとも１つがアメリカ合衆国に存在する限り、アメリカ合衆国内で行われるものと理解されなければならない。
【００６０】
図５は、図４の動作フロー４００の例の他の実施形態を示している。図５は、特定動作４１０が、１つ以上の追加の動作を含む実施形態の例を示している。追加の動作は、動作５０２、動作５０４、動作５０６、動作５０８、動作５１０、および／または、動作５１２を含んでいてもよい。
【００６１】
動作５０２において、上記ウイルスは、上記通信ネットワークのネットワーク装置において検知されてもよい。例えば、ウイルス１０８は、通信ネットワーク１０２の（感染している）ネットワーク装置１１６に、ｅメールとして送信され、または、関連付けられていてもよく、またユーザ１４２は、ｅメールを開くことで、（感染している）ネットワーク装置１１６にウイルス１０８を感染させてもよい。そして、例えば、免疫付与システム１１０のネットワーク監視部１２０が通信ネットワーク１０２の感染しているネットワーク装置１１６においてウイルス１０８を、例えば、検知規則１２２に従ってウイルス１０８（またはヘッダ、ペイロード、および／または、それらのシグネチャ）と、ウイルスデータ１２４を比較することによって検知してもよい。この例において、ネットワーク監視部１２０は、感染しているネットワーク装置１１６において実行されているアンチウイルスプログラムとして実装されていてもよく、および／または、通信ネットワーク１０２の複数のネットワーク装置におけるウイルス１０８（それらの複数のインスタンスを含む）を検知する、別の装置（例えば、装置１３４）上で実行されているアンチウイルスプログラムであってもよい。
【００６２】
動作５０４において、ウイルスの伝播は、上記通信ネットワークのネットワーク装置の間において検知されてもよい。例えば、通信ネットワークの感染しているネットワーク装置１１６に感染したウイルス１０８は、感染していないネットワーク装置１１８に到達する（ことを試みる）ために通信ネットワーク１０２を用いて伝播してもよい。このように伝播している間、例えば、この伝播は、ネットワークトラフィック管理部１３６、１３８上で発生してもよく、免疫付与システム１１０のネットワーク監視部１２０は、検知規則１２２を用いてウイルス１０８を検知してもよい。また後者の例では、ネットワーク監視部１２０および／または免疫付与システム１１０全体は、ネットワークトラフィック管理部１３６／１３８、または、それらとは別のものの一部または全部において、実現されていてもよい。
【００６３】
動作５０６において、上記通信ネットワークについての上記ウイルスの影響が検知されてもよい。例えば、ウイルス１０８は、測定可能な程度に、通信ネットワーク１０２における通信データの伝送の一部または全体を減速させたり、妨げたりするような影響をおよぼしてもよい。このような場合、例えば、望ましくは検知規則１２２を用いる免疫付与システム１１０のネットワーク監視部１２０は、ウイルス１０８による減速の影響を検知してもよい。付加的な、または、代替的な例として、ウイルス１０８は、感染しているネットワーク装置１１６のｅメールプログラム（または、その他のアプリケーション）にアクセスできなくなるような影響をおよぼしてもよく、または、感染しているネットワーク装置１１６から所定のファイルを削除してもよい。このような例において、ネットワーク監視部１２０は、例えば、検知規則１２２を用いることによって、感染しているネットワーク装置１１６におけるウイルス１０８を検知（例えば、その存在を推定）してもよい。
【００６４】
動作５０８において、上記通信ネットワークにおいて上記ウイルスが伝播する見込みが判定されてもよい。例えば、ウイルス１０８が、セキュリティ上の欠陥や、抜け穴がある通信ネットワークに感染することが既知であってもよい。従って、この場合、通信ネットワーク１０２は、セキュリティ上の欠陥や、抜け穴に関連付けられており、このことにより通信ネットワーク１０２が、ウイルス１０８に感染しやすい、例えば、通信ネットワーク１０２においてウイルス１０８が伝播する見込みがある、と判定される。
【００６５】
動作５１０において、上記ウイルスが存在するおよび／または存在していたネットワーク装置に関連付けられているシグネチャが判別されてもよい。例えば、ウイルス１０８は、既知のシグネチャ（これはウイルスデータ１２４に記憶されていてもよい）を有していてもよく、感染しているネットワーク装置１１６に感染してもよい。感染しているネットワーク装置１１６を監視することで、このようなシグネチャの観測または判別を実現することができ、これは、例えば、感染後の身体部位を特定するための人体の免疫反応（human immune responses）に類似している“エピトープシグネチャ（epitopic signature）”と考えることもできる。免疫付与システム１１０のネットワーク監視部１２０は、このようにシグネチャを判別する。そして、動作５１２において、ウイルス１０８が、上記シグネチャに基づいて判別される。さらに、上記の例について続けると、免疫付与システム１１０のネットワーク監視部１２０は、動作５１０のシグネチャが、実際にウイルス１０８のシグネチャであると判別するために、このように検知規則１２２を用いてもよい。ウイルス１０８は、いかなる特定の程度の特異性を用いて判別される必要がないものと理解されるべきである。例えば、ネットワーク監視部１２０は、（例えば、感染しているネットワーク装置１１６から受信するキーコードのチェックサムに基づいて、）単に、感染しているネットワーク装置１１６が、（例えば、チェックサムが合わないということを理由に）感染しやすいことを判定すればよい。特に、他のネットワーク装置から取得した類似の結果を集約した結果、ウイルス１０８が、所定の水準で認識されてもよく、ウイルス１０８を用いた攻撃（例えば、ウイルス１０８が、感染しているネットワーク装置１１６に、他のネットワーク装置がホストにアクセスするのを妨げるために、サービス要求でホスト装置をあふれさせるようにするサービス拒否攻撃）が阻止されてもよい。例えば、ホスト装置は、攻撃に関与していることが疑われるネットワーク装置からの要求を受け入れることを停止してもよい。言うまでもなく、シグネチャ（例えば、チェックサム）は論理バイパスネットワーク１０４および／または物理バイパスネットワーク１０６を用いてホスト装置に供給されるものと理解されるべきである。
【００６６】
図６は、図４の動作フローの例のさらに別の実施形態を示している。図６は、特定動作４１０が、１つ以上の追加の動作を含む実施形態の例を示している。追加の動作は、動作６０２、動作６０４、動作６０６、動作６０８、動作６１０、動作６１２、動作６１４、動作６１６および／または動作６１８を含んでいてもよい。
【００６７】
動作６０２において、上記ウイルスと関連付けられたシグネチャと、１または複数の既知のシグネチャとの比較が実行されてもよい。例えば、本開示において示すように、ウイルス１０８は、例えば、ウイルス１０８のヘッダ、パケット、または、ペイロードに関連付けられたシグネチャを有していてもよい。免疫付与システム１１０（例えば、ネットワーク監視部１２０）は、例えば、ウイルス１０８のシグネチャと、既知の、および／または、通信ネットワーク１０２のために認可されている一連のシグネチャ（ウイルスデータ１２４に記憶されていてもよい）とを比較してもよい。勿論、ネットワーク監視部１２０は、ウイルス１０８のシグネチャと、ウイルスデータ１２４における既知のウイルスの一連のシグネチャとを比較してもよい。動作６０４において、ウイルスは、上記比較に基づいて特定される。例えば、検知規則１２２が、ウイルス１０８のシグネチャと、一連の既知の認可されたシグネチャとが比較されるときに用いられる場合、ネットワーク監視部１２０は、シグネチャが既知の認可されたシグネチャのいずれにも合致しないと判定してもよく、このようにして、例えば、ウイルス１０８のようなウイルスと関連付けられているシグネチャであると判定してもよい。検知規則１２２が、ウイルス１０８のシグネチャと、一連の既知のウイルスのシグネチャとが比較されるときに用いられる場合、ネットワーク監視部１２０は、シグネチャが、既知のウイルスのシグネチャに合致する（またはしない）ことを判定してもよく、このようにして、シグネチャがウイルス１０８のものであると特定してもよい。
【００６８】
動作６０６において、ウイルス検知プログラムから上記ウイルスの通知が受信されてもよい。例えば、ウイルス検知プログラムは、少なくともネットワーク監視部１２０の一部分を含んでいてもよく、これらは通信ネットワーク１０２において実行されて（または、関連付けられて）いてもよい。そして、免疫付与システム１１０（例えば、検知規則１２２および／またはウイルスデータ１２４に加え、ネットワーク監視部１２０の第２の／遠隔の部分）は、ウイルス検知プログラムからウイルスの通知を受信してもよい。動作６０８において、ウイルスは、上記通知に基づいて特定される。例えば、ネットワーク監視部１２０の第２の／遠隔の部分は、感染しているネットワーク装置１１６において実行されているウイルス検知プログラムから通知を受信してもよく、そしてまた、ウイルス１０８を、例えば、検知規則１２２に従って特定してもよい。
【００６９】
動作６１０において、上記ウイルスおよび／または上記通信ネットワークに関連付けられた不正パターンが判別されてもよい。例えば、ウイルス１０８が１つ以上の感染しているネットワーク装置１１６および／または通信ネットワーク１０２に感染した後、ウイルス１０８は、ネットワーク監視部１２０によって不正パターンが検知されるようにしてもよい。例えば、ネットワーク監視部１２０は、例えば、速度および／または通信ネットワークの利用可能な帯域幅の低下、メモリまたは（感染している）ネットワーク装置１１６の速度の低下、または（感染している）ネットワーク装置１１６における未確認の実行ファイルの数が不審であることのうちのいくつか含む不正パターンを判別する。このような不正パターンは、全体としては、ウイルスの兆候を示唆する、または、ウイルスを識別するのに十分といえるが、不正パターンの一側面のみでは十分であるといえない。動作６１２において、ウイルスは、上記不正パターンに基づいて特定される。例えば、ネットワーク監視部１２０が、感染しているネットワーク装置１１６および／または通信ネットワーク１０２の不正パターンを判定した後、ネットワーク監視部１２０は、検知した不正パターンがウイルス１０８に関連付けられていることを判定するために検知規則１２２を適用してもよい。
【００７０】
動作６１４において、上記通信ネットワークの予期される特性と、上記通信ネットワークの実際の特性との比較が実行されてもよい。例えば、通信ネットワーク１０２は、既知の時間内に、通信ネットワーク１０２において第１のコンピュータから第２のコンピュータに、ｅメールを配送するものと予期されてもよい。このとき、例えば、通信ネットワーク１０２が、実際には、大幅に長い時間枠で、第１のコンピュータから第２のコンピュータに、ｅメールを配送してもよい。免疫付与システム１１０のネットワーク監視部１２０は、例えば、予期される時間と、実際の時間とを比較してもよい。動作６１６において、ウイルスが、上記比較に基づいて特定されてもよい。例えば、ネットワーク監視部１２０は、ウイルス１０８が、ｅメールの配送において類似の遅延を生じさせるものとして知られていることを判定するために検知規則１２２を備えていてもよい。
【００７１】
動作６１８において、上記通信ネットワーク内における自己伝播力をもつコードを内包する上記ウイルスが特定されてもよい。例えば、ウイルス１０８は、通信ネットワーク１０２の感染しているネットワーク装置１１６に感染する自己伝播コードを含み、例えば、感染しているネットワーク装置１１６から、通信ネットワーク１０２における他のネットワーク装置（例えば、感染していないネットワーク装置１１８）に、ユーザ１４２の行為または助力なしに伝播するように構成されてもよい。付加的なまたは代替的な例として、ウイルス１０８は、通信ネットワーク１０２の感染しているネットワーク装置１１６にロードされてもよく、感染しているネットワーク装置１１６のｅメールアドレス帳を読み取り、それに含まれる、通信ネットワーク１０２上のアドレス全部に自分自身を送信し、これにより通信ネットワーク１０２全体に自分自身を伝播してもよい。自己伝播の他の例は、通信ネットワーク１０２の他の状況または実装から理解し得るものであり、明白であろう。例えば、通信ネットワーク１０２は、複数の携帯電話機および／または複数のパーソナル・デジタル・アシスタント（ＰＤＡ）において実現されている複数のブルートゥース（登録商標）ネットワークであってもよく、またウイルス１０８は、ユーザ１４２が、あるブルートゥースネットワークの場所から、他のブルートゥースネットワークの場所に移動する、といった複数のブルートゥースネットワークにおいて利用できるセキュアでないブルートゥース接続を伴う通信によって伝播してもよい。
【００７２】
図７は、図４の動作フロー４００の一例のさらに別の実施形態を示している。図７は、特定動作４１０が、１つ以上の追加の動作を含む実施形態の例を示している。追加の動作は、動作７０２、動作７０４、動作７０６、動作７０８、および／または、動作７１０を含んでいてもよい。
【００７３】
動作７０２において、上記通信ネットワーク内における自己複製力をもつコードを内包する上記ウイルスが特定される。例えば、ウイルス１０８は、感染しているネットワーク装置１１６における自己複製コードを含んでいてもよい。このとき、ウイルス１０８は、例えば、感染しているネットワーク装置１１６における複数のプログラムおよび／またはファイルの至るところに自分自身を複製する。そして、感染しているネットワーク装置１１６が、通信ネットワーク１０２上で、例えば、感染していないネットワーク装置１１６にファイルを送信するとき、自己複製コードが、送信するファイルに感染しており、ファイルに添付されていてもよい。そして、免疫付与システム１１０は、ウイルス１０８を識別し、または特定するために、例えば、感染しているネットワーク装置における、および／または、ファイルそのものにおける自己複製コード（例えば、ウイルス１０８）を判定してもよい。
【００７４】
動作７０４において、悪意のあるコードを内包する上記ウイルスが特定されてもよい。例えば、ウイルス１０８は、例えば、感染しているコンピュータ１１６における一部のあるいはすべてのファイルを削除するように設計されているものであってもよく、または、感染しているネットワーク装置１１６、通信ネットワーク１０２、および／またはユーザ１４２に対し害をおよぼしたり、不都合を引き起こしたりするものであってもよい。
【００７５】
動作７０６において、ネットワークウイルス、サービス拒否攻撃、ネットワークあふれ（network flooding）、ワーム、トロイの木馬、スパイウェア、権限の無いネットワークプログラム、スパム、および／または、アドウェアのうちの１または複数に関連するコードを内包する上記ウイルスが特定されてもよい。例えば、ウイルス１０８が、ネットワークあふれに関連している場合、ウイルス１０８は感染しているネットワーク装置１１６において動作し、感染しているネットワーク装置１１６から通信ネットワーク１０２に巨大なファイルのストリームを送信することができ、このようにして通信ネットワーク１０２をあふれさせ、また通信ネットワーク１０２を通じて、他のネットワーク装置にデータを伝送することを困難にする。ウイルス１０８の他の例としては、ウイルス１０８は、アドウェアプログラムに関連していてもよく、この場合、ウイルス１０８は、感染しているネットワーク装置１１６において動作し、感染しているネットワーク装置１１６に複数の製品広告を表示させることができるが、このような広告は、ユーザ１４２が要求したものでも、望んだものでもない。
【００７６】
動作７０８において、上記ウイルスに感染しやすい上記通信ネットワークの特性が判定されてもよい。例えば、ウイルス１０８は、特定のオペレーティング・システムの所定のバージョンが稼動している、または、特定のネットワークプロトコルを用いて通信する通信ネットワークに感染することが知られていてもよい。このとき、例えば、ネットワーク監視部１２０は、このような特性を判定してもよく、またこの特性により引き起こされる通信ネットワーク１０２の感染しやすさを判定してもよい。動作７１０において、ウイルスは、この特性に基づいて特定されてもよい。例えば、ネットワーク監視部１２０は、この特性（オペレーティング・システムまたはネットワークプロトコル）がウイルス１０８に関連付けられている（感染しやすい）ことを判定するために検知規則１２２を適用してもよい。
【００７７】
図８は、図４の動作フロー４００の一例のさらに別の実施形態を示している。図８は、特定動作４１０が、１つ以上の追加の動作を含む実施形態の例を示している。追加の動作は、動作８０２、動作８０４、動作８０６、動作８０８、動作８１０、および／または、動作８１２を含んでいてもよい。
【００７８】
動作８０２において、上記ウイルスに感染しやすい上記通信ネットワークのネットワーク装置の特性が判定されてもよい。例えば、ウイルス１０８は、例えば、特定の種類の携帯電話機や、パーソナル・デジタル・アシスタントに、といった特定の種類または型式のネットワーク装置に感染しやすいことが知られていてもよい。動作８０４において、ウイルスは上記特性に基づいて特定されてもよい。例えば、免疫付与システム１１０は、（感染している）ネットワーク装置１１６の種類または型に基づいて、および／または、感染していないネットワーク装置１１８に基づいてウイルス１０８を特定してもよい。このようなウイルス１０８の特定は、本開示において多くの例を示すように、通信ネットワーク１０２（または、その特定のネットワーク装置）がウイルス１０８によって感染する前か、その間か、その後のいずれかで行ってもよいものと理解されるべきである。
【００７９】
動作８０６において、通信データを送信する論理ネットワークを含む通信ネットワークと関連付けられたウイルスが特定されてもよい。例えば、通信ネットワーク１０２は、最も根本にある物理ネットワークの頂点において定義されている論理バイパスネットワークを含み、また、通信ネットワーク１０２は、例えば、権限あるｅメールトラフィック、または、その他の望ましい情報、または、１つ以上のユーザ１４２に供給される、または、１つ以上のユーザ１４２によって供給される（および／または権限を与えられる）ファイルといった通信データを送信するように構成されている。
【００８０】
動作８０８において、通信データを送信する物理ネットワークを含む通信ネットワークと関連付けられたウイルスが特定されてもよい。例えば、通信ネットワーク１０２は、物理ネットワークを含んでいてもよく、通信ネットワーク１０２は、既に述べたように、１つ以上のユーザ１４２に供給され、または、１つ以上のユーザ１４２によって供給され、および／または、１つ以上のユーザ１４２に権限を与えられた、実質的にあらゆる権限ある／望ましい情報を含む通信データを送信するように構成されていてもよい。
【００８１】
動作８１０において、アクセスが制限されている通信ネットワークと関連付けられたウイルスが特定されてもよい。例えば、通信ネットワーク１０２は、企業イントラネットであってもよく、適切なログインおよび／またはパスワードを有するユーザ（例えば、ユーザ１４２）だけがそこにアクセスできるようになっていてもよい。これらに類似する例において、事業体１４０は、通信ネットワーク１０２への権限が与えられたアクセスを供給する責務を負う。その他の例としては、ユーザ１４２は、事業体１４０の顧客であってもよく、通信ネットワークへのアクセス制限に対する責務をより直接的に負ってもよい。
【００８２】
動作８１２において、アクセスが有料となっている通信ネットワークと関連付けられたウイルスが特定されてもよい。例えば、通信ネットワーク１０２は、このネットワークのために月額料金を支払うユーザ１４２にネットワークサービスを供給してもよい。上記の例のように、エンティティ１４０は、料金を徴収し、および／または、この料金を支払わないユーザのアクセスを制限してもよい。
【００８３】
図９は、図４の動作フロー４００の一例のさらに別の実施形態を示している。図９は、特定動作４１０が、１つ以上の追加の動作を含む場合の実施形態の例を示している。追加の動作は、動作９０２、動作９０４、動作９０６、動作９０８、および／または、動作９１０を含んでいてもよい。
【００８４】
動作９０２において、事業体が保証するネットワークを含む通信ネットワークに関連付けられた上記ウイルスが特定されてもよい。例えば、事業体１４０は、ウイルス１０８のようなウイルスの通信ネットワーク１０２における伝播が制限されることを、通信ネットワーク１０２のユーザに保証してもよい。ユーザ１４２は、通信ネットワーク１０２におけるより高い信用性、および通信ネットワーク１０２の娯楽を提供されてもよい。さらには、ユーザ１４２は、少なくともいくつかの実施形態では、通信ネットワーク１０２の各（または特定の）ネットワーク装置においてアンチウイルスソフトウェアを実行、および／または、更新することを要求されなくてもよい。
【００８５】
動作９０４において、より大きなネットワークの一部を含み、かつ、上記より大きなネットワークとともに提供される通信ネットワークに関連付けられた上記ウイルスが特定されてもよい。例えば、通信ネットワーク１０２は、図２に示したように、また、本開示において示すように、公共インターネット２０２の一部分としてのコモディティティネットワーク２０４（例えば、ＶＰＮ）を含んでいてもよい。
【００８６】
動作９０６において、ワイド・エリア・ネットワーク、ローカル・エリア・ネットワーク、仮想ローカル・エリア・ネットワーク、仮想私設ネットワーク、メトロポリタン・エリア・ネットワーク、ピア・トゥ・ピア・ネットワーク、および／または、イントラネットのうちの少なくとも１つを含む通信ネットワークに関連付けられた上記ウイルスが特定されてもよい。通信ネットワーク１０２のこのような例および他の例は、図２およびここに示す説明、例えば、ネットワーク２０２−２１２を参照することで理解されるであろう。例えば、ユーザ１４２としての企業は、ワイド・エリア・ネットワークと相互に接続されている複数のローカル・エリア・ネットワーク（および／または仮想ローカル・エリア・ネットワーク）において、関連しているアップリンクおよび接続を確保するために、事業体１４０に料金を支払うことで、企業が、地理的に広く分散されているにもかかわらず、通信ネットワーク１０２を、企業の従業員および／または、ベンダにとって、セキュアで、私設の、都合のよい、そして、費用効率のよいリソースとして維持できるようにしてもよい。
【００８７】
動作９０８において、イーサネットベース（登録商標）のネットワーク、無線ネットワーク、ブルートゥース（登録商標）のネットワーク、Ｗｉ−Ｆｉ（登録商標）のネットワーク、公衆交換電話ネットワーク、および／または、パケット交換ネットワークのうちの少なくとも１つを含む通信ネットワークに関連付けられた上記ウイルスが特定されてもよい。例えば、本開示において示すように、通信ネットワーク１０２は、企業の構内を横断する無線ネットワークとして供給される企業イントラネットを含んでいてもよい。
【００８８】
動作９１０において、衛星ネットワーク、携帯電話ネットワーク、ケーブルネットワーク、ファイバー回路ネットワーク、マイクロ波ネットワーク、および／または、ページングネットワークのうちの少なくとも１つを含む通信ネットワークに関連付けられた上記ウイルスが特定されてもよい。上記のように、通信ネットワーク１０２のこのような例や、この他の例は、図２およびここに示す説明、例えば、ネットワーク２０２−２１２を参照することで理解されるであろう。例えば、図２は、衛星ネットワークおよび／または衛星無線ネットワーク２１２を示しており、ここでは、前者の例が、例えば、国際的な企業または複合企業（例えば、ユーザ１４２）によって用いられ、高速度で、セキュアな、世界的規模の企業ネットワークを実現している。
【００８９】
図１０は、図４の動作フロー４００の一例のさらに別の実施形態を示している。図１０は、特定動作４１０が、１つ以上の追加の動作を含む実施形態の例を示している。追加の動作は、動作１００２、動作１００４、動作１００６、動作１００８、および／または、動作１０１０を含んでいてもよい。
【００９０】
動作１００２において、上記ウイルスに基づいて上記アンチウイルスエージェントが決定される。例えば、免疫付与システム１１０のネットワーク監視部１２０は、感染しているネットワーク装置１１６におけるウイルス１０８を検知するために、検知規則１２２を実装していてもよい。このとき、例えば、免疫付与システム１１０の反応生成部１２６は、アンチウイルスエージェント１１２、例えば、アンチウイルスエージェントデータ１３０に関連付けられている反応規則１２８を用いて、ウイルス１０８に応じてアンチウイルスエージェント１１２（および／またはアンチウイルスエージェント１１４）を決定してもよい。
【００９１】
動作１００４において、上記ウイルスに基づいて、上記通信ネットワークのネットワーク装置における上記ウイルスの伝播を阻止および／または抑制するアンチウイルスエージェントであって、上記ネットワーク装置にロードされる上記アンチウイルスエージェントが決定されてもよい。例えば、反応生成部１２６は、ウイルスエージェント１１２を、（例えば、ネットワーク監視部１２０によって供給される）ウイルス１０８の所定の特徴に応じて、作成し、生成し、取得し、識別し、または、決定する。そして、本開示において示すように、反応生成部１２６は、論理バイパスネットワーク１０４を用いて、通信ネットワーク１０２（例えば、感染していない装置１１８）に、アンチウイルスエージェント１１２を配信する。感染していない装置１１８を認識するとすぐに、アンチウイルスエージェント１１２は、例えば、感染していない装置１１８にウイルス１０８に対する免疫を付与してもよい。このため、この例では、ウイルス１０８が、感染していない装置１１８に感染している装置１１６から移動してくるまでに、マルチネットワークウイルス免疫付与システム１００は、感染していない装置１１８をそれらから保護する。
【００９２】
動作１００６において、上記アンチウイルスエージェントは、通信ネットワークにおいてウイルスが伝播するのを阻止する、または、抑制ものであると判定されてもよい。すなわち、例えば、アンチウイルスエージェント１１２が、（動作１００４のように）通信ネットワーク１０２のネットワーク装置（例えば、感染していないネットワーク装置１１８）にロードされている場合ではなくてもよい。むしろ、免疫付与システム１１０が、アンチウイルスエージェント１１２を、単に、感染しているネットワーク装置１１６との通信を終了したり、または、通信ネットワーク１０２においてウイルス１０８が伝播するのを阻止したり、制限したりするものであると判定する場合の例である。
【００９３】
動作１００８において、上記通信ネットワークのネットワーク装置から上記ウイルスを取り除くアンチウイルスエージェントが、上記通信ネットワークの上記ネットワーク装置に供給されてもよい。例えば、免疫付与システム１１０は、ウイルス１０８が、感染しているネットワーク装置１１６におけるプログラムに感染したと判定してもよい。そして、免疫付与システム１１０は、例えば、アンチウイルスエージェント１１２を感染しているネットワーク装置１１６に供給してもよく、アンチウイルスエージェント１１２は、通信ネットワーク１０２の感染しているネットワーク装置１１６からそのプログラム（ひいては、ウイルス１０８）を取り除くように構成されていてもよい。
【００９４】
動作１０１０において、上記バイパスネットワークを用いて、上記ウイルスが上記通信ネットワークのネットワーク装置に感染する前に、上記ネットワーク装置に上記アンチウイルスエージェントが供給されてもよい。例えば、免疫付与システム１１０は、例えば、論理バイパスネットワーク１０４を用いて、感染していないネットワーク装置１１８にウイルス１０８が到達する前に、感染していないネットワーク装置１１８にアンチウイルスエージェント１１２を供給してもよい。なお、本開示において示すように、論理バイパスネットワーク１０４は、通信ネットワーク１０２においてウイルス１０８が通常利用できるものよりも、速い伝送速度で感染していないネットワーク装置１１８にアンチウイルスエージェント１１２を送信するように構成されていてもよい。
【００９５】
図１１は、図４の動作フロー４００の一例のさらに別の実施形態を示している。図１１は、特定動作４１０が、１つ以上の追加の動作を含む実施形態の例を示している。追加の動作は、動作１１０２、動作１１０４、動作１１０６、動作１１０８、および／または、動作１１１０を含んでいてもよい。
【００９６】
動作１１０２において、上記通信ネットワークのネットワーク装置に対して、上記アンチウイルスエージェントへのアクセスを提供する、上記アンチウイルスエージェントへの参照が供給されてもよい。例えば、免疫付与システム１１０は、ウイルス１０８に応じて、アンチウイルスエージェント１１２そのものを供給するのではなく、通信ネットワーク１０２への参照１３２を供給する。参照１３２は、例えば、通信ネットワーク１０２のネットワーク装置１１８が、例えば、アンチウイルスエージェントデータ１３０に記憶されているウイルスエージェント１１２にアクセスできるようにするためのキーまたは他のアクセスコードを含む。他の例では、参照は、通信ネットワーク１０２の感染していないネットワーク装置１１８に、（オフラインで記憶されている、および／または、アンチウイルスエージェントのライブラリを含む）アンチウイルスエージェントデータ１３０を提示するためのインターネットまたはイントラネットのアドレスであってもよく、これによって、アンチウイルスエージェント１１２へのアクセスを可能にする。また、参照は、命令、または、データを含んでいてもよい。このデータは、アンチウイルスエージェント１１２を作成・結合するための（combine to create）、例えば、従来から存在するアンチウイルス技術／解決技法／エージェントに用いられるシグネチャファイルようなデータであってもよい。
【００９７】
動作１１０４において、上記通信ネットワークにおける１または複数のネットワーク装置へのマルチキャスト伝送を含んだ、上記通信ネットワークへの上記アンチウイルスエージェントの配信が行われてもよい。例えば、反応生成部１２６は、通信ネットワーク１０２における所定のネットワーク装置（例えば、このネットワーク装置は、他のネットワーク装置ともっとも結合度が高い）のいくつかにアンチウイルスエージェント１１２が配信されるべきであると決定してもよく、このようなマルチキャスト伝送は、その環境において可能な限り迅速に特定のネットワーク装置に到達するための効率的な配信技術を提供できる。
【００９８】
動作１１０６において、上記通信ネットワークにおける１または複数のネットワーク装置へのブロードキャスト伝送を含んだ、上記通信ネットワークへの上記アンチウイルスエージェントの配信が行われてもよい。例えば、先ほどの例とは対照的に、免疫付与システム１１０（例えば、反応生成部１２６）は、通信ネットワーク１０２のすべての利用可能な装置にブロードキャストメッセージを送信することを決定してもよく、このことは、もっとも早く、かつ、最も効率的な配信技術となり得る。これは例えば、比較的小さなネットワークの場面において、および／または、ウイルス１０８の拡散を停止する、または、制限するための時間が極めて限られている場合において用いることができる。
【００９９】
動作１１０８において、少なくとも上記通信ネットワークからは部分的に論理的に分離されたバイパスネットワークを用いて上記通信ネットワークに上記アンチウイルスエージェントが配信されてもよい。例えば、論理バイパスネットワーク１０４のセグメントまたは一部分は、通信ネットワーク１０２から論理的に分離されていてもよく、その一方で、その他のセグメントまたは部分は、完全に論理的に分離されていてもよい。勿論、他の実施例として、同様に、論理バイパスネットワーク１０４は、通信ネットワーク１０２から完全に論理的に分離されていてもよい。
【０１００】
動作１１１０において、上記バイパスネットワークの事業体の援助に関連付けられているバイパスネットワークを用いて上記通信ネットワークに上記アンチウイルスエージェントが配信されてもよい。例えば、本開示において示すように、事業体１４０は、論理バイパスネットワーク１０４および／または物理バイパスネットワーク１０６を、保証し、担保し、供給し、または、援助して、ユーザ１４２に、通信ネットワーク１０２において、より高い信用性、および、より大きな楽しみを持たせるようにできる。例えば、事業体１４０は、論理バイパスネットワーク１０４および／または物理バイパスネットワーク１０６を援助してもよく、また、高伝送速度、高伝送信頼性、高伝送セキュリティ、および／または、物理的に別の伝送経路のうちの少なくとも１つを提供してもよい。
【０１０１】
図１２は、図４の動作フロー４００の一例のさらに別の実施形態を示している。図１２は、配信動作４２０が、１つ以上の追加の動作を含む実施形態の例を示している。追加の動作は、動作１２０２、動作１２０４、動作１２０６、および／または、動作１２０８を含んでいてもよい。
【０１０２】
動作１２０２において、高伝送速度、高伝送信頼性、高伝送セキュリティ、および／または、物理的に分離された伝送経路のうちの少なくとも１つを上記アンチウイルスエージェントの伝送において保証、および／または、提供する、事業体による援助に関連付けられているバイパスネットワークを用いて上記通信ネットワークに上記アンチウイルスエージェントが配信されてもよい。例えば、上記のように、事業体１４０は、高伝送速度、高伝送信頼性、高伝送セキュリティ、および／または、物理的に別の伝送経路のうちの少なくとも１つの特性を備える論理バイパスネットワーク１０４および／または物理バイパスネットワーク１０６を提供してもよい。
【０１０３】
動作１２０４において、上記通信ネットワークおよび上記バイパスネットワークの両方と通信するネットワーク装置を使用し、上記バイパスネットワークを用いての上記通信ネットワークへの上記アンチウイルスエージェントの配信が行われてもよい。例えば、免疫付与システム１１０は、ネットワークトラフィック管理部１３６、および論理バイパスネットワーク１０４用いて通信ネットワーク１０２にアンチウイルスエージェント１１２を供給してもよく、また、ネットワークトラフィック管理部１３６および物理バイパスネットワーク１０６を用いて、アンチウイルスエージェント１１４を、通信ネットワーク１０２に供給してもよい。
【０１０４】
動作１２０６において、上記通信ネットワークへの上記アンチウイルスエージェントの配信を制御する規則に従って動作するネットワークトラフィック管理装置を使用し、上記バイパスネットワークを用いての上記通信ネットワークへの上記アンチウイルスエージェントの配信が行われてもよい。例えば、上述の例に似て、免疫付与システム１１０は、ネットワークトラフィック管理部１３６および論理バイパスネットワーク１０４を用いてアンチウイルスエージェント１１２を、通信ネットワーク１０２に供給してもよく、また、ネットワークトラフィック管理部１３６および物理バイパスネットワーク１０６を用いてアンチウイルスエージェント１１４を、通信ネットワーク１０２に供給してもよい。一方または両方の場合においても、ネットワークトラフィック管理部１３６、１３８は、少なくとも免疫付与システム１１０の一部分を実現可能になっていてもよく、本開示において示すように、いずれの、いつ、および／または、どのようにアンチウイルスエージェント１１２、１１４を通信ネットワーク１０２に配信するかを制御するための反応規則１２８を実現していてもよい。そして、例えば、ネットワークトラフィック管理部１３６は、アンチウイルスエージェント１１２（または、アンチウイルスエージェント１１４）が伝送されるまで、通信ネットワーク１０２における通信データのいくらかまたはすべての伝送を、禁止し、遅らせ、妨害するための反応規則１２８を実装していてもよい。
【０１０５】
動作１２０８において、上記通信ネットワークの通信データよりも、上記アンチウイルスエージェントの伝送を優先するよう動作するネットワークトラフィック管理装置を使用し、上記バイパスネットワークを用いての上記通信ネットワークへの上記アンチウイルスエージェントの配信が行われてもよい。例えば、本開示において示すように、ネットワークトラフィック管理部１３６は、タグ優先順位付けルーティングを実現することができるルータを含んでいてもよく、上位の“ｎ”タグが、アンチウイルスエージェント１１２を伝送するのに予約されていてもよい。
【０１０６】
図１３は、図４の動作フロー４００の一例のさらに別の実施形態を示している。図１３は、配信動作４２０が、１つ以上の追加の動作を含む実施形態の例を示している。追加の動作は、動作１３０２、動作１３０４、動作１３０６、および／または、動作１３０８を含んでいてもよい。
【０１０７】
動作１３０２において、上記アンチウイルスエージェントの伝送に対して、上記ウイルスの伝送を抑制および／または遅延させるように機能するネットワークトラフィック管理装置を使用し、上記バイパスネットワークを用いての上記通信ネットワークへの上記アンチウイルスエージェントの配信が行われてもよい。例えば、ネットワークトラフィック管理部１３６は、免疫付与システム１１０の一部または全部を実現していてもよく、（例えば、そのウイルスのシグネチャを検出することで）ウイルス１０８を検知する、または認識することができるようになっていてもよい。そして、反応規則１２８は、ウイルス１０８のような潜在するウイルスがネットワークトラフィック管理部１３６内にバッファされるように規定することができる。このようにして、免疫付与システム１１０は、ウイルス１０８に先行して通信ネットワーク１０２（例えば、感染していない装置１１８）にアンチウイルスエージェント１１２をより好ましく供給することができる。
【０１０８】
動作１３０４において、ワイド・エリア・ネットワーク、ローカル・エリア・ネットワーク、仮想ローカル・エリア・ネットワーク、仮想私設ネットワーク、メトロポリタン・エリア・ネットワーク、ピア・トゥ・ピアネットワーク、および／または、イントラネットのうちの少なくとも１つを含むバイパスネットワークを用いて上記アンチウイルスエージェントが上記通信ネットワークに配信されてもよい。また、図３、例えば、ネットワーク１０４、１０６および／または３０４−３２４（類推するに、図２のネットワーク２０２−２１２まで）からも明らかであるように、バイパスネットワーク３０２は、このようなあらゆる数のネットワークの種類または構成の実施例を含んでいてもよく、このことは、他の多数の実施例と同様であるが、ここではとくに言及しない。例えば、通信ネットワーク１０２が、第１のピア・トゥ・ピアネットワーク（例えば、ピア・トゥ・ピアネットワーク２０８）を含んでいてもよく、さらに、バイパスネットワーク３０２が、第２のピア・トゥ・ピアネットワーク（例えば、ピア・トゥ・ピアネットワーク３１８、３２０）を含んでいてもよい。この例において、ピア・トゥ・ピアネットワーク２０８および３１８／３２０は、他のものと連結されて実現されていてもよく、また通信データおよびアンチウイルスエージェント１１２、１１４のために、それぞれが関連付けられているか、予約されていてもよい。
【０１０９】
動作１３０６において、イーサネットベースのネットワーク、無線ネットワーク、ブルートゥースネットワーク、Ｗｉ−Ｆｉネットワーク、公衆交換電話ネットワーク、および／または、パケット交換ネットワークのうちの少なくとも１つを含むバイパスネットワークを用いて上記アンチウイルスエージェントが上記通信ネットワークに配信されてもよい。例えば、バイパスネットワーク３０２は、無線ネットワークとして実現され、かつ、本開示において示すような、通信ネットワーク１０２にアンチウイルスエージェント１１２、１１４を送信するのに有利な点をもたらす携帯電話ネットワーク３１６を含んでいてもよい。
【０１１０】
動作１３０８において、衛星ネットワーク、衛星無線ネットワーク、携帯電話ネットワーク、ファイバーネットワーク、および／または、ページングネットワークのうちの少なくとも１つを含むバイパスネットワークを用いて上記アンチウイルスエージェントが上記通信ネットワークに配信されてもよい。例えば、図３に示したように、バイパスネットワーク３０２は、衛星無線ネットワーク２１２を含んでいてもよい。この例では、通信ネットワーク１０２は、本開示において示すように、複数のブルートゥースネットワークを含んでいてもよく、ウイルス１０８は、感染しているネットワーク装置１１６としての携帯電話機またはＰＤＡに拡散してもよい。そして、ユーザ１４２の乗り物に備えられる衛星無線送受信機が、免疫付与システム１１０の一部または全部を実現していてもよく、ユーザ１４２は、衛星無線送受信機を経由して彼または彼女がもつ携帯電話機にウイルス１０８に対する免疫を付与させてもよい。この例では、バイパスネットワーク３０２（例えば、衛星無線ネットワーク２１２）を供給する事業体１４０は、例えば、衛星無線ネットワーク２１２のオペレータを含んでいてもよく、また衛星無線ネットワークのオペレータ／プロバイダと、関連付けられた、または、提携関係にあるサードパーティを含んでいてもよい。
【０１１１】
図１４は、図４の動作フロー４００の一例のさらに別の実施形態を示している。図１４は、配信動作４２０が、１つ以上の追加の動作を含む実施形態の例を示している。追加の動作は、動作１４０２、動作１４０４、動作１４０６、動作１４０８、および／または、動作１４１０を含んでいてもよい。
【０１１２】
動作１４０２において、上記アンチウイルスエージェントが、上記通信ネットワークにおける上記ウイルスの伝播経路よりも前にある１つ以上の上記通信ネットワークのネットワーク装置に供給されてもよい。例えば、本開示において示すように、免疫付与システム１１０は、感染しているネットワーク装置１１６から感染していないネットワーク装置１１８にウイルス１０８が伝播する前に、つまり、それより先に、アンチウイルスエージェント１１２を、感染していないネットワーク装置１１８に供給してもよい。
【０１１３】
動作１４０４において、上記通信ネットワークのトポロジ解析による上記ウイルスの潜在的な経路の特定に基づいて上記アンチウイルスエージェントが上記通信ネットワークに供給されてもよい。例えば、通信ネットワーク１０２は、メッシュ型、スター型、ツリー／階層型、バス型、リング型トポロジといったいくつかの例、およびこれらと異なるトポロジを有するネットワークは、異なる配信技術（配信技術の決定は、例えば、反応規則１２８を用いて、反応生成部１２６が行ってもよい）と対応していてもよい。例えば、階層型トポロジ（これは、例えば、金融機関またはその他の階層的に構成された企業構造において用いられる）において、戦略上要となる点より下位にあるネットワーク装置が、ウイルス１０８から保護さるように、そして、戦略上要となる点が、ウイルス１０８の拡散に対する防火地点となるように、アンチウイルスエージェント１１２が、ツリー／階層における特定の戦略上要となる点に配信されてもよい。例えば、感染していないネットワーク装置１１８は、比較的多数の下位レベルの装置に接続されているネットワーク階層における点をあらわしていてもよい。他の例としては、本開示において示すように、通信ネットワーク１０２は、メッシュ型ネットワークを含んでいてもよく、また免疫付与システム１１０は、感染していないネットワーク装置１１８を、通信ネットワーク１０２の他のネットワーク装置に対する高度な接続性を有するものとして選択してもよい。
【０１１４】
動作１４０６において、アンチウイルスエージェントが通信ネットワークに配信されるときに、ウイルスに競合するアンチウイルスエージェントが伝播されてもよい。例えば、免疫付与システム１１０は、アンチウイルスエージェント１１２を、通信ネットワーク１０２（またはそのネットワーク装置）のリソースを獲得するためウイルス１０８と競合するものとして決定してもよく、これによりアンチウイルスエージェント１１２が、計画的にウイルス１０８の伝播に必要なリソースを枯渇させることを確実にする。例えば、アンチウイルスエージェントは、ウイルス１０８にとってさらなる伝播／複製が望まれる感染していないネットワーク装置１１８の特定のアプリケーションまたは構成を占有してもよい。
【０１１５】
動作１４０８において、ウイルス１０８の潜在的な経路の特定に基づいて、上記通信ネットワークにアンチウイルスエージェントが配信されることを含み、上記特定は、上記特定を統計解析することを含むものであってもよい。例えば、免疫付与システム１１０は、現在流通している、またその流通が知られているウイルス１０８について解析してもよく、またウイルス１０８のとり得る経路を予測するために、通信ネットワーク１０２の一般的な知識（例えば、どのネットワーク装置が、高度の接続性を保有しているかについての知識）と、この知識を組み合わせてもよい。そして、例えば、免疫付与システム１１０は、ウイルス１０８を受信する可能性の最も高いネットワーク装置を選択してもよく、これらのネットワーク装置へのアンチウイルスエージェント１１２の配信を優先的に行う。
【０１１６】
動作１４１０において、第１のネットワーク装置と、第２のネットワーク装置との間における上記アンチウイルスエージェントのポイント・トゥ・ポイント伝送を、上記通信ネットワークが上記第１のネットワーク装置から上記第２のネットワーク装置に上記ウイルスを伝送するのにかかる時間よりも短い時間で行うことができるバイパスネットワークを用いて、上記通信ネットワークに上記アンチウイルスエージェントが配信されてもよい。例えば、本開示において示すように、論理バイパスネットワーク１０４は、通信ネットワーク１０２における同一の物理装置の、一部、または、全部を含んでいてもよく、しかしながら論理的に異なる方法で接続されていてもよい。そして、通信ネットワーク１０２は、所定の秒数で、第１のネットワーク装置から、第２のネットワーク装置にウイルス１０８を送信してもよく、さらに、論理バイパスネットワーク１０４は、その秒数よりも少ない時間で、第１のネットワーク装置から、第２のネットワーク装置にアンチウイルスエージェント１１２を送信してもよい。
【０１１７】
図１５は、図４の動作フロー４００の一例のさらに別の実施形態を示している。図１５は、配信動作４２０が、１つ以上の追加の動作を含む実施形態の例を示している。追加の動作は、動作１５０２、動作１５０４、および／または、動作１５０６を含んでいてもよい。
【０１１８】
動作１５０２において、上記通信ネットワークがネットワーク経路上において上記ウイルスを伝送するのにかかる時間よりも短い時間で、上記ネットワーク経路上において、上記アンチウイルスエージェントのエンド・トゥ・エンド伝送を行うことができるバイパスネットワークを用いて、上記通信ネットワークに上記アンチウイルスエージェントが配信されてもよい。例えば、感染しているネットワーク装置１１６および感染していないネットワーク装置１１８の間にネットワーク経路が存在してもよく、また論理バイパスネットワーク１０４は、通信ネットワーク１０２よりも短い時間で感染しているネットワーク装置１１６から、感染していないネットワーク装置１１８へアンチウイルスエージェント１１２を伝送するように構成されていてもよく、またここで、ネットワーク経路は、これらの間のエンド・トゥ・エンド伝送を含み、またエンド・トゥ・エンド伝送は、通信ネットワーク１０２の、特に、接続されている装置間の複数のポイント・トゥ・ポイント伝送を含んでいてもよい。
【０１１９】
動作１５０４において、通信ネットワークにおいて用いられる通信伝送媒体よりも広い帯域幅をサポートするバイパス伝送媒体を用いて上記アンチウイルスエージェントの伝送を行うことができるバイパスネットワークを用いて、上記通信ネットワークに上記アンチウイルスエージェントが配信されてもよい。例えば、通信ネットワーク１０２は、イーサネットにより接続された複数のネットワーク装置を含んでいてもよく、所定のデータスループットをサポートしていてもよく、さらに、物理バイパスネットワーク１０６は、ファイバー線により接続された複数のネットワーク装置から構成されていてもよく、それよりも大きなスループットをサポートする。
【０１２０】
動作１５０６において、上記通信ネットワークにおいて用いられる通信伝送媒体よりも速いデータ転送をサポートするバイパス伝送媒体を用いて上記アンチウイルスエージェントの伝送を行うことができるバイパスネットワークを用いて、上記通信ネットワークに上記アンチウイルスエージェントが配信されてもよい。例えば、通信ネットワーク１０２は、イーサネットにより接続された複数のネットワーク装置を含んでいてもよく、所定の伝送速度をサポートしていてもよく、さらに、物理バイパスネットワーク１０６は、ファイバー線により接続された複数のネットワーク装置から構成されていてもよく、それよりも速い伝送速度をサポートする。
【０１２１】
図１６は、図４の動作フロー４００の一例のさらに別の実施形態を示している。図１６は、配信動作４２０が、１つ以上の追加の動作を含む実施形態の例を示している。追加の動作は、動作１６０２、動作１６０４、動作１６０６、および／または、動作１６０８を含んでいてもよい。
【０１２２】
動作１６０２において、上記通信ネットワークに比べて、より高い信頼性で、第１のネットワーク装置および第２のネットワーク装置間における上記アンチウイルスエージェントのポイント・トゥ・ポイント伝送を行うバイパスネットワークを用いて、上記通信ネットワークに上記アンチウイルスエージェントが配信されてもよい。例えば、論理バイパスネットワーク１０４は、通信ネットワーク１０２の同一の物理装置の一部分または全部を含んでいてもよく、しかしながら、異なる方法で論理的に接続されていてもよい。そして、通信ネットワーク１０２は、所定の有効な程度の信頼性により、第１のネットワーク装置から第２のネットワーク装置へウイルス１０８を伝送してもよく、さらに、論理バイパスネットワーク１０４は、それにくらべて高い有効な信頼性により、第１のネットワーク装置から第２のネットワーク装置へアンチウイルスエージェント１１２を伝送してもよい。
【０１２３】
動作１６０４において、上記通信ネットワークに比べて、より高い信頼性で、第１のネットワーク装置および第２のネットワーク装置間における上記アンチウイルスエージェントのエンド・トゥ・エンド伝送を行うバイパスネットワークを用いて、上記通信ネットワークに上記アンチウイルスエージェントが配信されてもよい。例えば、感染しているネットワーク装置１１６および感染していないネットワーク装置１１８の間におけるネットワーク経路が存在してもよく、また論理バイパスネットワーク１０４は、感染しているネットワーク装置１１６から感染していないネットワーク装置１１８へ、通信ネットワーク１０２よりも高い有効な伝送信頼性で、アンチウイルスエージェント１１２を伝送するように構成されてもよく、また、ここで、ネットワーク経路は、それらの間におけるエンド・トゥ・エンド伝送を含んでいてもよく、エンド・トゥ・エンド伝送は、特に、通信ネットワーク１０２の接続された装置間における複数のポイント・トゥ・ポイント伝送を含んでいてもよい。
【０１２４】
動作１６０６において、上記通信ネットワークに比べて、より高いクオリティ・オブ・サービス（QoS）で上記アンチウイルスエージェントの伝送を行うバイパスネットワークを用いて、上記通信ネットワークに上記アンチウイルスエージェントが配信されてもよい。例えば、免疫付与システム１１０は、有力な候補となる複数の論理バイパスネットワークから、より高いＱｏｓを提供するものとして、特に、論理バイパスネットワーク１０４を選択してもよい。
【０１２５】
動作１６０８において、上記通信ネットワークに比べてより少ないパケットの取りこぼし数、より短い遅延、より低い配信失敗の可能性（likelihood）、および／または、より少ないエラーのうちの少なくともいずれかで上記アンチウイルスエージェントの伝送を行うバイパスネットワークを用いて、上記通信ネットワークに上記アンチウイルスエージェントが配信されてもよい。例えば、前述のように、免疫付与システム１１０は、有力な候補となる複数の論理バイパスネットワークから、有効な信頼性を向上させるような１つ以上の上記構成、または、他の構成を供給するものとして、論理バイパスネットワーク１０４を選択してもよい。
【０１２６】
図１７は、図４の動作フロー４００の一例のさらに別の実施形態を示している。図１７は、配信動作４２０が、１つ以上の追加の動作を含む実施形態の例を示している。追加の動作は、動作１７０２、動作１７０４、および／または、動作１７０６を含んでいてもよい。
【０１２７】
動作１７０２において、上記通信ネットワークによって実現されるデータ暗号化よりも、より高水準のデータ暗号化を行うバイパスネットワークを用いて、上記通信ネットワークに上記アンチウイルスエージェントが配信されてもよい。例えば、通信ネットワーク１０２は、第１のネットワーク装置から、第２のネットワーク装置に送信されるデータの３２ビットデータ暗号化を実現していてもよい。そして、例えば、論理バイパスネットワーク１０４、および／または、物理バイパスネットワーク１０６は、第１のネットワーク装置から、第２のネットワーク装置に送信されるデータの６４ビットデータ暗号化を実現していてもよい。
【０１２８】
動作１７０４において、上記通信ネットワークに比べてよりセキュアに第１のネットワーク装置および第２のネットワーク装置間における上記アンチウイルスエージェントのポイント・トゥ・ポイント伝送を行うバイパスネットワークを用いて、上記通信ネットワークに上記アンチウイルスエージェントが配信されてもよい。例えば、論理バイパスネットワーク１０４は、通信ネットワーク１０２の同一の物理装置の一部または全部を含んでいてもよく、しかしながら、異なる方法によって論理的に接続されていてもよい。そして、通信ネットワーク１０２は、特定の有効な程度のセキュリティで、第１のネットワーク装置から、第２のネットワーク装置にウイルス１０８を伝送してもよく、さらに、論理バイパスネットワーク１０４は、それよりも比較的高い有効なセキュリティで、第１のネットワーク装置から、第２のネットワーク装置にアンチウイルスエージェント１１２を伝送してもよい。
【０１２９】
動作１７０６において、上記通信ネットワークに比べてよりセキュアに第１のネットワーク装置および第２のネットワーク装置間における上記アンチウイルスエージェントのエンド・トゥ・エンド伝送を行うバイパスネットワークを用いて、上記通信ネットワークに上記アンチウイルスエージェントが配信されてもよい。例えば、感染しているネットワーク装置１１６および感染していないネットワーク装置１１８の間に、通信ネットワーク１０２よりも高い有効なセキュリティがあるネットワーク経路があってもよく、ここで、ネットワーク経路は、二者間のエンド・トゥ・エンド伝送を含んでいてもよく、エンド・トゥ・エンド伝送は、特に、通信ネットワーク１０２の接続された装置間における複数のポイント・トゥ・ポイント伝送を含んでいてもよい。
【０１３０】
図１８は、図４の動作フロー４００の一例のさらに別の実施形態を示している。図１８は、配信動作４２０が、１つ以上の追加の動作を含む実施形態の例を示している。追加の動作は、動作１８０２、および／または、動作１８０４を含んでいてもよい。
【０１３１】
動作１８０２において、上記通信ネットワークにおいて、第１のネットワーク装置から、第２のネットワーク装置に上記ウイルスを伝送するのに用いられる経路とは物理的に分離された経路を用いて上記第１のネットワーク装置および上記第２のネットワーク装置間における上記アンチウイルスエージェントのポイント・トゥ・ポイント伝送を行うことができるバイパスネットワークを用いて、上記通信ネットワークに上記アンチウイルスエージェントが配信されてもよい。例えば、通信ネットワーク１０２は、第１の物理経路（例えば、有線の経路）を用いる２つのネットワーク装置間においてポイント・トゥ・ポイントでウイルス１０８を伝送してもよい。これに対して、物理バイパスネットワーク１０６は、物理的に別の第２の物理経路（例えば、好ましくは、携帯電話ネットワーク、または、衛星ネットワーク上の無線経路）を用いる２つのネットワーク装置間においてポイント・トゥ・ポイントでアンチウイルスエージェント１１２を伝送してもよい。
【０１３２】
動作１８０４において、上記通信ネットワークにおいて、上記ウイルスを伝送するのに用いられる経路とは物理的に分離されたネットワーク経路を用いて第１のネットワーク装置および第２のネットワーク装置間における上記アンチウイルスエージェントのエンド・トゥ・エンド伝送を行うことができるバイパスネットワークを用いて、上記通信ネットワークに上記アンチウイルスエージェントが配信されてもよい。例えば、感染しているネットワーク装置１１６および感染していないネットワーク装置１１８の間においてネットワーク経路（例えば、有線ネットワーク経路）が存在していてもよく、物理バイパスネットワーク１０６は、物理的に別のネットワーク経路（例えば、無線ネットワーク経路）上において感染しているネットワーク装置１１６から感染していないネットワーク装置１１８へアンチウイルスエージェント１１２を伝送するよう構成されていてもよく、ここで、物理的に別のネットワーク経路は、２者間のエンド・トゥ・エンド伝送を含んでいてもよい。
【０１３３】
図１９は、計算装置においてコンピュータ処理を実行させるためのコンピュータプログラム１９０４を含むコンピュータプログラム製品１９００の実施例の部分図である。コンピュータプログラム製品１９００の実施形態の一例は、信号担持媒体１９０２を用いて供給されてもよく、また、信号担持媒体１９０２は、通信ネットワークに関連付けられたウイルスを特定するための１または複数の命令、および、上記通信ネットワークにおける上記ウイルスの伝送と対比して、速い伝送速度、高い伝送信頼性、高い伝送セキュリティ、および、物理的に分離された伝送経路の少なくともいずれかでアンチウイルスエージェントの伝送を行うバイパスネットワークを用いて、上記通信ネットワークに上記アンチウイルスエージェントを配信するための１または複数の命令のうちの少なくとも一方を担持していてもよい。上記１または複数の命令は、例えば、コンピュータが実行可能な命令であってもよく、および／または、ロジックが実装された命令であってもよい。ある実施例において、信号担持媒体１９０２は、コンピュータ読み取り可能な媒体１９０６を含んでいてもよい。また、ある実施例において、信号担持媒体１９０２は、記録可能媒体１９０８を含んでいてもよい。また、ある実施例において、信号担持媒体１９０２は、通信媒体１９１０を含んでいてもよい。
【０１３４】
図２０は、システム２０００の実施可能な実施形態の一例を示している。システム２０００は、計算システム環境を含む。システム２０００は、装置２００４を使用するユーザ２０１４を示しており、また、装置２００４が計算装置２００２と、任意の接続２００６を経由して通信していることが選択的に示されている。任意の接続２００６は、ローカル、ワイド・エリア、または、ピア・トゥ・ピアネットワークを示していてもよく、または、計算装置（例えば、計算装置２００２が、装置２００４内の全体または一部を含む実施形態）の内部のバスを示していてもよい。記憶媒体２００８は、実質的にあらゆるコンピュータ記憶媒体を含んでいてもよい。
【０１３５】
計算装置２００２は、計算装置２００２において実行されたときに、計算装置２００２に、通信ネットワークに関連付けられたウイルスを特定させ、および、上記通信ネットワークにおける上記ウイルスの伝送と対比して、速い伝送速度、高い伝送信頼性、高い伝送セキュリティ、および、物理的に分離された伝送経路の少なくともいずれかでアンチウイルスエージェントの伝送を行うバイパスネットワークを用いて、上記通信ネットワークに上記アンチウイルスエージェントを配信させるためのコンピュータ実行可能な命令２０１０を含んでいてもよい。
【０１３６】
図２０において、システム２０００は、少なくとも１つの計算装置（例えば、２００２および／または２００４）を含んでいる。コンピュータ実行可能な命令２０１０は、１つ以上の上記計算装置において実行されてもよい。例えば、計算装置２００２は、コンピュータ実行可能な命令２０１０を備えており、計算装置２００４に結果を出力する（および／または、そこからデータを受信する）。計算装置２００２は、計算装置２００４内に全部または一部分が含まれていてもよいので、本開示において示すような技術、または、その他の技術のなかから種々のものを実行し、または、備えられるようにするために、計算装置２００４は、コンピュータ実行可能な命令２０１０の一部または全部を実行できるものと考えることができる。
【０１３７】
装置２００４は、例えば、１または複数のサーバー、パーソナル・デジタル・アシスタント（ＰＤＡ）、または、携帯電話機、ラップトップコンピュータ、タブレットＰＣ（Personal computer）、ネットワークコンピュータ、プロセッサのクラスターを含む計算システム、ワークステーションコンピュータ、デスクトップコンピュータを含んでいてもよい。他の実施形態の例において、計算装置２００４は、バイパスネットワークを用いて、アンチウイルスエージェントを通信ネットワークに供給し、そこにおける上記ウイルスの伝播を、阻止、低減、または、抑制するように機能してもよい。
【０１３８】
当業者であれば、最先端技術が進歩し、ハードウェアとソフトウェアとのシステム形態の実行に関して、ほぼ差異が残されていないことについて認識するであろう。ハードウェアまたはソフトウェアの使用は、一般的に（しかし、必ずしもそうではなく、特定の状況においては、ハードウェアかソフトウェアかの選択が重要な意義を持つ場合もある）、費用対効果において折り合いをつけるために選択される設計事項である。本開示において示すプロセスおよび／またはシステムおよび／または他の技術を実行することのできる媒体は様々であり（例えば、ハードウェア、ソフトウェア、および／またはファームウェア）、また、好ましい媒体は、これらのプロセスおよび／またはシステムおよび／または他の技術が配備される状況に応じて変化することについて、当業者であれば理解するであろう。例えば、速度および正確性が最重要であると判断される場合は、主にハードウェアおよび／またはファームウェア媒体が選択され、あるいは、柔軟性が最重要であると判断される場合は、主にソフトウェアが選択され、あるいは、ハードウェア、ソフトウェア、および／またはファームウェアの任意の組み合わせが選択される場合もある。従って、本開示において示すプロセスおよび／またはデバイスおよび／または他の技術を実施することのできる媒体は様々に存在しており、一方が他方よりも本質的に優れていることはなく、用いられる全ての媒体は、その媒体が配備される状況に応じて選択されるものであり、実施の際における特定の懸念事項（例えば、速度、柔軟性、あるいは予測性）もまた様々である。光学的な形態を実施する場合は、通常は、光学指向のハードウェア、ソフトウェア、および／またはファームウェアが用いられることについて、当業者であれば認識するであろう。
【０１３９】
上述の詳細な説明では、ブロック図、フローチャート、および／または実施例を用いて、上記デバイスおよび／またはプロセスの様々な実施形態について説明した。これらのブロック図、フローチャート、および／または実施例が、１つ以上の機能および／または処理を含んでいる場合、これらブロック図、フローチャート、または実施例内の各機能および／または処理は、適用性の広いハードウェア、ソフトウェア、ファームウェア、あるいはこれらの実質的に任意の組み合わせによって個々におよび／または組み合わせで実施できることについて、当業者であれば理解するであろう。一実施形態では、本開示において示す構成要素の一部は、特定用途向け集積回路（ＡＳＩＣ）、フィールドプログラマブルゲートアレイ（ＦＰＧＡ）、デジタル信号プロセッサ（ＤＳＰ）、あるいはその他の統合的な形式によって実施することができる。しかし、本開示において示す実施形態の一部の形態は、全体的あるいは部分的に、１つ以上のコンピュータにおいて実行される１つ以上のコンピュータプログラム（例えば、１つ以上のコンピュータシステムにおいて実行される１つ以上のプログラム）、１つ以上のプロセッサにおいて実行される１つ以上のプログラム（例えば、１つ以上のマイクロプロセッサにおいて実行する１つ以上のプログラム）、ファームウェア、あるいはこれらの実質的に任意の組み合わせとして、集積回路内において同等に実施することができ、また、回路設計および／または上記ソフトウェアおよび／またはファームウェアへの符号の書き込みは、当業者の技術範囲内において本開示が十分に行われていることについて、当業者であれば認識するであろう。さらに、本開示において示す構成要素のメカニズムは、プログラムプロダクトとして様々な形式で分配することができ、また、本開示において示す構成要素の実施形態は、上記分配を実施するために実際に用いられる信号を有する媒体の種類に関わらず適用されることについて、当業者であれば理解するであろう。信号を有する媒体の例としては、記録型の媒体（例えば、フロッピー（登録商標）ディスク、ハードディスクドライブ、コンパクトディスク（ＣＤ）、デジタルビデオデスク（ＤＶＤ）、デジタルテープ、コンピュータメモリ等）、および伝送型の媒体（例えば、デジタルおよび／またはアナログ通信媒体（例えば、光ファイバーケーブル、導波管、有線通信リンク、無線通信リンク等））が含まれるが、これらに限定されるものではない。
【０１４０】
一般的な意味において、当業者であれば、適用性の広いハードウェア、ソフトウェア、ファームウェア、あるいはこれらの任意の組み合わせによって個々に、および／または、まとめて実施可能である本開示において示す様々な形態は、様々な種類の「電子回路」から形成されていると見なすことができることについて認識するであろう。このため、本開示において用いられている「電子回路」は、少なくとも１つのディスクリート電子回路を有する電子回路、少なくとも１つの集積回路を有する電子回路、少なくとも１つの特定用途向け集積回路を有する電子回路、コンピュータプログラムによって設定された汎用演算装置を形成する電子回路（例えば、本開示において示すプロセスおよび／またはデバイスを少なくとも部分的に実施するコンピュータプログラムによって設定された汎用コンピュータ、あるいは本開示において示すプロセスおよび／またはデバイスを少なくとも部分的に実施するコンピュータプログラムによって設定されたマイクロプロセッサ）、メモリデバイス（例えば、ランダムアクセスメモリ）を形成する電子回路、および／または、通信装置（例えば、モデム、通信スイッチ、あるいは光電装置）を形成する電子回路を含んでいるが、これらに限定されるものではない。当業者であれば、本開示において示す構成要素は、アナログ式、デジタル式、あるいはこれらの組み合わせで実施することができることについて認識するであろう。
【０１４１】
本開示において示す方法の組み合わせによってデバイスおよび／またはプロセスを記載し、記載されたデバイスおよび／またはプロセスをデータ処理システムに統合するために、技術的手法を用いることは、当該技術分野では一般的であることを、当業者であれば認識するであろう。すなわち、本開示において示すデバイスおよび／またはプロセスの少なくとも一部分は、相当量の実験を行うことによって、データ処理システムに統合することができる。典型的なデータ処理システムが、一般的に、１つ以上のシステムユニット筐体、ビデオ表示装置、揮発性メモリおよび不揮発性メモリ等のメモリ、マイクロプロセッサおよびデジタル信号プロセッサ等のプロセッサ、オペレーティング・システム等の計算実体、ドライバ、グラフィカル・ユーザ・インターフェース、およびアプリケーションプログラム、１つ以上のタッチパッドまたはタッチスクリーン等の相互反応デバイス、および／または、フィードバックループおよび制御モータ（例えば、位置および／または速度を感知するフィードバック、移動および／または構成要素および／または分量の調整のための制御モータ）を含む制御システムを含むことを、当業者であれば認識するであろう。典型的なデータ処理システムは、典型的には、データ処理／通信および／またはネットワーク計算／通信システムに見られるようなあらゆる市販の構成要素を適宜用いることによって実現することができる。
【０１４２】
本開示において示す構成要素は、他の部品内に含まれている異なる部品、あるいは他の部品に接続されている異なる部品を示している場合がある。そのように示されている構造は単なる例であって、実際には他の多くの構造によっても同一の機能性を得ることができることについて理解されたい。概念的な意味においては、同一の機能性を得るためのあらゆる部品の構成は、所望とする機能性が達成されるように効果的に「関連付け」られる。従って、本開示において特定の機能性を得るために組み合わされている任意の２つの部品は、構造または中間部品とは無関係に、所望の機能性が得られるように互いに「関連付けられている」と見なすことができる。また、このように関連付けられた任意の２つの部品は、所望の機能性を得るために、互いに「動作可能なように接続」または「動作可能なように結合」されていると見なすこともでき、またそのように関連付けて結合可能な任意の２つの部品は、所望の機能性を得るために、互いに「動作可能なように結合可能」であると見なすこともできる。動作可能なように結合可能な部品の具体的な例としては、物理的にメイタブル（mateable）な部品、および／または、物理的に相互作用する部品、および／または、無線で相互作用可能な部品、および／または、無線で相互作用する部品、および／または、論理的に相互作用する部品、および／または、論理的に相互作用可能な部品が含まれるが、これらに限定されるものではない。
【０１４３】
ここに記載した本発明の主題の具体的な形態について、図示および説明した。しかし、本発明の主題およびその広範な形態から逸脱することなく、本開示の教示に基づいて様々な変更および変化を加えることができることは、当業者には明らかであろう。特許請求の範囲は、真の精神に基づいたそのような全ての変更および変化の範囲と、本開示において示す主題の範囲とを包含していることもまた、当業者には明らかであろう。さらに、本発明は、特許請求の範囲によってのみ定義されることについて理解されたい。また、一般的に、ここに使用した単語および特に特許請求の範囲（例えば、特許請求の範囲の主部）は、「オープン」タームとして意味している（例えば「含んでいる」という単語は、「含んでいるが、これに限定されるものではない」と解釈されるべきであり、「有している」という単語は、「少なくとも有している」と解釈されるべきであり、「含む」という単語は、「含むが、これに限定されるものではない」と解釈されるべきである、等）ことを、当業者であれば理解するであろう。さらに、或る特定の数がクレーム記載に意図されている場合、そのような意図はクレーム内に明確に記載されており、そのような記載がない場合には、そのような意図は存在していないことを、当業者であれば理解するであろう。分かりやすくするために、特許請求の範囲では、例えば「少なくとも１つ」および「１つ以上」という前置句を用いてクレーム記載を導入している。しかし、このような句の使用は、不定冠詞「ａ」または「ａｎ」によってクレーム記載が導入されている場合には、このように導入されたクレーム記載を含むあらゆる特定クレームを、そのような記載のみを含む発明に限定するものと解釈されるべきではなく、同一のクレームが前置句「１つ以上」または「少なくとも１つ」、および「ａ」または「ａｎ」などの不定冠詞（例えば、「ａ」および／または「ａｎ」は、通常は「少なくとも１つ」または「１つ以上」と解釈されるべきである）を含んでいる場合であっても同様である。また、クレーム記載を導入するための定冠詞が用いられている場合であっても同様である。さらに、導入されるクレーム記載に或る特定の数が明確に記載されている場合であっても、そのような記載は通常、少なくとも記載されている数を意味するものとして解釈されるべきである（例えば、他の修飾語句を用いていない最低限の記載「２つの記載」は、通常、少なくとも２つの記載、あるいは２つ以上の記載を意味している）ことについて、当業者であれば認識するであろう。さらに、「Ａ、Ｂ、およびＣ、等のうちの少なくとも１つ」に類似した慣用表現が用いられている場合、一般的にそのような構成は、当業者がその慣用表現を理解できるように意図されている（例えば、「Ａ、Ｂ、およびＣのうち少なくとも１つを有しているシステム」は、Ａのみ、Ｂのみ、Ｃのみ、ＡとＢ、ＡとＣ、ＢとＣ、および／または、ＡとＢとＣを有するシステム等を含んでいるが、しかしこれらに限定されるものではない）。「Ａ、Ｂ、またはＣのうち少なくとも１つ、等」に類似した表現が用いられている場合、一般的にそのような表現は、当業者がその表現を理解できるように意図されている（例えば、「Ａ、Ｂ、またはＣのうち少なくとも１つを有しているシステム」は、Ａのみ、Ｂのみ、Ｃのみ、ＡとＢ、ＡとＣ、ＢとＣ、および／またはＡとＢとＣを有するシステム等を含んでいるが、これらに限定されるものではない）。また、明細書、特許請求の範囲、または図面において用いられている、２つ以上の代替語を示すあらゆる離接的接続語および／または句は、２つの単語の１つだけ、２つの単語のうちいずれか１つ、あるいは２つの単語とも、を含む可能性が意図されていることについて、当業者であれば理解するであろう。例えば、「ＡまたはＢ」という句は、「Ａ」または「Ｂ」あるいは「ＡおよびＢ」を含んでいる可能性があるものと理解される。
【図面の簡単な説明】
【０１４４】
【図１】好ましくは装置として実現可能な実施形態に係るマルチネットワークウイルス免疫付与システムを示す図である。
【図２】図１に示すマルチネットワークウイルス免疫付与システムの通信ネットワークの実施形態の一例を示す図である。
【図３】図１に示すマルチネットワークウイルス免疫付与システムの（複数の）バイパスネットワークの実施形態の一例を示す図である。
【図４】マルチネットワークウイルス免疫付与を行う技術に関する動作例を示す動作フローを示す図である。
【図５】図４に示す動作フロー例の他の実施形態を示す図である。
【図６】図４に示す動作フロー例の他の実施形態を示す図である。
【図７】図４に示す動作フロー例の他の実施形態を示す図である。
【図８】図４に示す動作フロー例の他の実施形態を示す図である。
【図９】図４に示す動作フロー例の他の実施形態を示す図である。
【図１０】図４に示す動作フロー例の他の実施形態を示す図である。
【図１１】図４に示す動作フロー例の他の実施形態を示す図である。
【図１２】図４に示す動作フロー例の他の実施形態を示す図である。
【図１３】図４に示す動作フロー例の他の実施形態を示す図である。
【図１４】図４に示す動作フロー例の他の実施形態を示す図である。
【図１５】図４に示す動作フロー例の他の実施形態を示す図である。
【図１６】図４に示す動作フロー例の他の実施形態を示す図である。
【図１７】図４に示す動作フロー例の他の実施形態を示す図である。
【図１８】図４に示す動作フロー例の他の実施形態を示す図である。
【図１９】計算装置において計算処理を実行するためのコンピュータプログラムを含むコンピュータプログラム製品の実施例の一部を示す図である。
【図２０】実現可能な実施形態に係るシステム例を示す図である。
【図１】
2009535913.tif 000003
【図２】
2009535913.tif 000004
【図３】
2009535913.tif 000005
【図４】
2009535913.tif 000006
【図５】
2009535913.tif 000007
【図６】
2009535913.tif 000008
【図７】
2009535913.tif 000009
【図８】
2009535913.tif 000010
【図９】
2009535913.tif 000011
【図１０】
2009535913.tif 000012
【図１１】
2009535913.tif 000013
【図１２】
2009535913.tif 000014
【図１３】
2009535913.tif 000015
【図１４】
2009535913.tif 000016
【図１５】
2009535913.tif 000017
【図１６】
2009535913.tif 000018
【図１７】
2009535913.tif 000019
【図１８】
2009535913.tif 000020
【図１９】
2009535913.tif 000021
【図２０】
2009535913.tif 000022
【手続補正書】
【提出日】平成21年1月22日(2009.1.22)
【手続補正１】
【補正対象書類名】特許請求の範囲
【補正対象項目名】全文
【補正方法】変更
【補正の内容】
【特許請求の範囲】
【請求項１】
通信ネットワークと関連付けられたウイルスを特定する手段と、
上記通信ネットワークにおける上記ウイルスの伝送と対比して、速い伝送速度、高い伝送信頼性、高い伝送セキュリティ、および、物理的に分離された伝送経路の少なくともいずれかでアンチウイルスエージェントの伝送を行うバイパスネットワークを用いて、上記通信ネットワークに上記アンチウイルスエージェントを配信する手段と、を含むマルチネットワークウイルス免疫付与システム。
【請求項２】
通信ネットワークと関連付けられたウイルスを特定する上記手段は、上記通信ネットワークのネットワーク装置における上記ウイルスを検知することを含む請求項１に記載のマルチネットワークウイルス免疫付与システム。
【請求項３】
通信ネットワークと関連付けられたウイルスを特定する上記手段は、上記通信ネットワークのネットワーク装置の間における上記ウイルスの伝播を検知することを含む請求項１に記載のマルチネットワークウイルス免疫付与システム。
【請求項４】
通信ネットワークと関連付けられたウイルスを特定する上記手段は、上記通信ネットワークについての上記ウイルスの影響を検知することを含む請求項１に記載のマルチネットワークウイルス免疫付与システム。
【請求項５】
通信ネットワークと関連付けられたウイルスを特定する上記手段は、上記通信ネットワークにおいて上記ウイルスが伝播する見込みを判定することを含む請求項１に記載のマルチネットワークウイルス免疫付与システム。
【請求項６】
通信ネットワークと関連付けられたウイルスを特定する上記手段は、上記ウイルスが存在する、および／または、以前に存在したネットワーク装置に関連付けられたシグネチャを判別するとともに、上記シグネチャに基づいて、上記ウイルスを特定することを含む請求項１に記載のマルチネットワークウイルス免疫付与システム。
【請求項７】
通信ネットワークと関連付けられたウイルスを特定する上記手段は、上記ウイルスと関連付けられたシグネチャと、１または複数の既知のシグネチャとの比較を実行するとともに、上記比較に基づいて、上記ウイルスを特定することを含む請求項１に記載のマルチネットワークウイルス免疫付与システム。
【請求項８】
通信ネットワークと関連付けられたウイルスを特定する上記手段は、ウイルス検知プログラムから上記ウイルスの通知を受信するとともに、上記通知に基づいて、上記ウイルスを特定することを含む請求項１に記載のマルチネットワークウイルス免疫付与システム。
【請求項９】
通信ネットワークと関連付けられたウイルスを特定する上記手段は、上記ウイルスおよび／または上記通信ネットワークに関連付けられた不正パターンを判別するとともに、上記不正パターンに基づいて、上記ウイルスを特定することを含む請求項１に記載のマルチネットワークウイルス免疫付与システム。
【請求項１０】
通信ネットワークと関連付けられたウイルスを特定する上記手段は、上記通信ネットワークの予期される特性と、上記通信ネットワークの実際の特性との比較を実行するとともに、上記比較に基づいて、上記ウイルスを特定することを含む請求項１に記載のマルチネットワークウイルス免疫付与システム。
【請求項１１】
通信ネットワークと関連付けられたウイルスを特定する上記手段は、上記通信ネットワーク内における自己伝播力をもつコードを内包する上記ウイルスを特定することを含む請求項１に記載のマルチネットワークウイルス免疫付与システム。
【請求項１２】
通信ネットワークと関連付けられたウイルスを特定する上記手段は、上記通信ネットワーク内における自己複製力をもつコードを内包する上記ウイルスを特定することを含む請求項１に記載のマルチネットワークウイルス免疫付与システム。
【請求項１３】
通信ネットワークと関連付けられたウイルスを特定する上記手段は、悪意のあるコードを内包する上記ウイルスを特定することを含む請求項１に記載のマルチネットワークウイルス免疫付与システム。
【請求項１４】
通信ネットワークと関連付けられたウイルスを特定する上記手段は、ネットワークウイルス、サービス拒否攻撃、ネットワークあふれ（network flooding）、ワーム、トロイの木馬、スパイウェア、権限の無いネットワークプログラム、スパム、および／または、アドウェアのうちの１または複数に関連するコードを内包する上記ウイルスを特定することを含む請求項１に記載のマルチネットワークウイルス免疫付与システム。
【請求項１５】
通信ネットワークと関連付けられたウイルスを特定する上記手段は、上記ウイルスに感染しやすい上記通信ネットワークの特性を判定するとともに、上記特性に基づいて、上記ウイルスを特定することを含む請求項１に記載のマルチネットワークウイルス免疫付与システム。
【請求項１６】
通信ネットワークと関連付けられたウイルスを特定する上記手段は、上記ウイルスに感染しやすい上記通信ネットワークのネットワーク装置の特性を判定するとともに、上記特性に基づいて、上記ウイルスを特定することを含む請求項１に記載のマルチネットワークウイルス免疫付与システム。
【請求項１７】
通信ネットワークと関連付けられたウイルスを特定する上記手段は、通信データを送信する論理ネットワークを含む通信ネットワークと関連付けられたウイルスを特定することを含む請求項１に記載のマルチネットワークウイルス免疫付与システム。
【請求項１８】
通信ネットワークと関連付けられたウイルスを特定する上記手段は、通信データを送信する物理ネットワークを含む通信ネットワークと関連付けられたウイルスを特定することを含む請求項１に記載のマルチネットワークウイルス免疫付与システム。
【請求項１９】
通信ネットワークと関連付けられたウイルスを特定する上記手段は、アクセスが制限されている通信ネットワークと関連付けられたウイルスを特定することを含む請求項１に記載のマルチネットワークウイルス免疫付与システム。
【請求項２０】
通信ネットワークと関連付けられたウイルスを特定する上記手段は、アクセスが有料となっている通信ネットワークと関連付けられたウイルスを特定することを含む請求項１に記載のマルチネットワークウイルス免疫付与システム。
【請求項２１】
通信ネットワークと関連付けられたウイルスを特定する上記手段は、事業体が保証するネットワークを含む通信ネットワークに関連付けられた上記ウイルスを特定することを含む請求項１に記載のマルチネットワークウイルス免疫付与システム。
【請求項２２】
通信ネットワークと関連付けられたウイルスを特定する上記手段は、より大きなネットワークの一部を含み、かつ、上記より大きなネットワークとともに提供される通信ネットワークに関連付けられた上記ウイルスを特定することを含む請求項１に記載のマルチネットワークウイルス免疫付与システム。
【請求項２３】
通信ネットワークと関連付けられたウイルスを特定する上記手段は、ワイド・エリア・ネットワーク、ローカル・エリア・ネットワーク、仮想ローカル・エリア・ネットワーク、仮想私設ネットワーク、メトロポリタン・エリア・ネットワーク、ピア・トゥ・ピア・ネットワーク、および／または、イントラネットのうちの少なくとも１つを含む通信ネットワークに関連付けられた上記ウイルスを特定することを含む請求項１に記載のマルチネットワークウイルス免疫付与システム。
【請求項２４】
通信ネットワークと関連付けられたウイルスを特定する上記手段は、イーサネットベース（登録商標）のネットワーク、無線ネットワーク、ブルートゥース（登録商標）のネットワーク、Ｗｉ−Ｆｉ（登録商標）のネットワーク、公衆交換電話ネットワーク、および／または、パケット交換ネットワークのうちの少なくとも１つを含む通信ネットワークに関連付けられた上記ウイルスを特定することを含む請求項１に記載のマルチネットワークウイルス免疫付与システム。
【請求項２５】
通信ネットワークと関連付けられたウイルスを特定する上記手段は、衛星ネットワーク、携帯電話ネットワーク、ケーブルネットワーク、ファイバー回路ネットワーク、マイクロ波ネットワーク、および／または、ページングネットワークのうちの少なくとも１つを含む通信ネットワークに関連付けられた上記ウイルスを特定することを含む請求項１に記載のマルチネットワークウイルス免疫付与システム。
【請求項２６】
上記通信ネットワークにおける上記ウイルスの伝送と対比して、速い伝送速度、高い伝送信頼性、高い伝送セキュリティ、および、物理的に分離された伝送経路の少なくともいずれかでアンチウイルスエージェントの伝送を行うバイパスネットワークを用いて、上記通信ネットワークに上記アンチウイルスエージェントを配信する上記手段は、
上記ウイルスに基づいて上記アンチウイルスエージェントを決定することを含む請求項１に記載のマルチネットワークウイルス免疫付与システム。
【請求項２７】
上記通信ネットワークにおける上記ウイルスの伝送と対比して、速い伝送速度、高い伝送信頼性、高い伝送セキュリティ、および、物理的に分離された伝送経路の少なくともいずれかでアンチウイルスエージェントの伝送を行うバイパスネットワークを用いて、上記通信ネットワークに上記アンチウイルスエージェントを配信する上記手段は、
上記ウイルスに基づいて、上記通信ネットワークのネットワーク装置における上記ウイルスの伝播を阻止および／または抑制するアンチウイルスエージェントであって、上記ネットワーク装置にロードされる上記アンチウイルスエージェントを決定することを含む請求項１に記載のマルチネットワークウイルス免疫付与システム。
【請求項２８】
上記通信ネットワークにおける上記ウイルスの伝送と対比して、速い伝送速度、高い伝送信頼性、高い伝送セキュリティ、および、物理的に分離された伝送経路の少なくともいずれかでアンチウイルスエージェントの伝送を行うバイパスネットワークを用いて、上記通信ネットワークに上記アンチウイルスエージェントを配信する上記手段は、
上記アンチウイルスエージェントが、上記通信ネットワークにおいて上記ウイルスが伝播するのを、阻止する、および／または、抑制するものであると判定することを含む請求項１に記載のマルチネットワークウイルス免疫付与システム。
【請求項２９】
上記通信ネットワークにおける上記ウイルスの伝送と対比して、速い伝送速度、高い伝送信頼性、高い伝送セキュリティ、および、物理的に分離された伝送経路の少なくともいずれかでアンチウイルスエージェントの伝送を行うバイパスネットワークを用いて、上記通信ネットワークに上記アンチウイルスエージェントを配信する上記手段は、
上記通信ネットワークのネットワーク装置から上記ウイルスを取り除くアンチウイルスエージェントを、上記通信ネットワークの上記ネットワーク装置に供給することを含む請求項１に記載のマルチネットワークウイルス免疫付与システム。
【請求項３０】
上記通信ネットワークにおける上記ウイルスの伝送と対比して、速い伝送速度、高い伝送信頼性、高い伝送セキュリティ、および、物理的に分離された伝送経路の少なくともいずれかでアンチウイルスエージェントの伝送を行うバイパスネットワークを用いて、上記通信ネットワークに上記アンチウイルスエージェントを配信する上記手段は、
上記バイパスネットワークを用いて、上記ウイルスが上記通信ネットワークのネットワーク装置に感染する前に、上記ネットワーク装置に上記アンチウイルスエージェントを供給することを含む請求項１に記載のマルチネットワークウイルス免疫付与システム。
【請求項３１】
上記通信ネットワークにおける上記ウイルスの伝送と対比して、速い伝送速度、高い伝送信頼性、高い伝送セキュリティ、および、物理的に分離された伝送経路の少なくともいずれかでアンチウイルスエージェントの伝送を行うバイパスネットワークを用いて、上記通信ネットワークに上記アンチウイルスエージェントを配信する上記手段は、
上記通信ネットワークのネットワーク装置に対して、上記アンチウイルスエージェントへのアクセスを提供する、上記アンチウイルスエージェントへの参照を供給することを含む請求項１に記載のマルチネットワークウイルス免疫付与システム。
【請求項３２】
上記通信ネットワークにおける上記ウイルスの伝送と対比して、速い伝送速度、高い伝送信頼性、高い伝送セキュリティ、および、物理的に分離された伝送経路の少なくともいずれかでアンチウイルスエージェントの伝送を行うバイパスネットワークを用いて、上記通信ネットワークに上記アンチウイルスエージェントを配信する上記手段は、
上記通信ネットワークにおける１または複数のネットワーク装置へのマルチキャスト伝送を含んだ、上記通信ネットワークへの上記アンチウイルスエージェントの配信を含む請求項１に記載のマルチネットワークウイルス免疫付与システム。
【請求項３３】
上記通信ネットワークにおける上記ウイルスの伝送と対比して、速い伝送速度、高い伝送信頼性、高い伝送セキュリティ、および、物理的に分離された伝送経路の少なくともいずれかでアンチウイルスエージェントの伝送を行うバイパスネットワークを用いて、上記通信ネットワークに上記アンチウイルスエージェントを配信する上記手段は、
上記通信ネットワークにおける１または複数のネットワーク装置へのブロードキャスト伝送を含んだ、上記通信ネットワークへの反応の配信を含む請求項１に記載のマルチネットワークウイルス免疫付与システム。
【請求項３４】
上記通信ネットワークにおける上記ウイルスの伝送と対比して、速い伝送速度、高い伝送信頼性、高い伝送セキュリティ、および、物理的に分離された伝送経路の少なくともいずれかでアンチウイルスエージェントの伝送を行うバイパスネットワークを用いて、上記通信ネットワークに上記アンチウイルスエージェントを配信する上記手段は、
少なくとも上記通信ネットワークからは部分的に論理的に分離されたバイパスネットワークを用いて上記通信ネットワークに上記アンチウイルスエージェントを配信することを含む請求項１に記載のマルチネットワークウイルス免疫付与システム。
【請求項３５】
上記通信ネットワークにおける上記ウイルスの伝送と対比して、速い伝送速度、高い伝送信頼性、高い伝送セキュリティ、および、物理的に分離された伝送経路の少なくともいずれかでアンチウイルスエージェントの伝送を行うバイパスネットワークを用いて、上記通信ネットワークに上記アンチウイルスエージェントを配信する上記手段は、
上記バイパスネットワークの事業体の援助に関連付けられているバイパスネットワークを用いて上記通信ネットワークに上記アンチウイルスエージェントを配信することを含む請求項１に記載のマルチネットワークウイルス免疫付与システム。
【請求項３６】
上記通信ネットワークにおける上記ウイルスの伝送と対比して、速い伝送速度、高い伝送信頼性、高い伝送セキュリティ、および、物理的に分離された伝送経路の少なくともいずれかでアンチウイルスエージェントの伝送を行うバイパスネットワークを用いて、上記通信ネットワークに上記アンチウイルスエージェントを配信する上記手段は、
高伝送速度、高伝送信頼性、高伝送セキュリティ、および／または、物理的に分離された伝送経路のうちの少なくとも１つを上記アンチウイルスエージェントの伝送において保証、および／または、提供する、事業体による援助に関連付けられているバイパスネットワークを用いて上記通信ネットワークに上記アンチウイルスエージェントを配信することを含む請求項１に記載のマルチネットワークウイルス免疫付与システム。
【請求項３７】
上記通信ネットワークにおける上記ウイルスの伝送と対比して、速い伝送速度、高い伝送信頼性、高い伝送セキュリティ、および、物理的に分離された伝送経路の少なくともいずれかでアンチウイルスエージェントの伝送を行うバイパスネットワークを用いて、上記通信ネットワークに上記アンチウイルスエージェントを配信する上記手段は、
上記通信ネットワークおよび上記バイパスネットワークの両方と通信するネットワーク装置を使用し、上記バイパスネットワークを用いての上記通信ネットワークへの上記アンチウイルスエージェントの配信を行うことを含む請求項１に記載のマルチネットワークウイルス免疫付与システム。
【請求項３８】
上記通信ネットワークにおける上記ウイルスの伝送と対比して、速い伝送速度、高い伝送信頼性、高い伝送セキュリティ、および、物理的に分離された伝送経路の少なくともいずれかでアンチウイルスエージェントの伝送を行うバイパスネットワークを用いて、上記通信ネットワークに上記アンチウイルスエージェントを配信する上記手段は、
上記通信ネットワークへの上記アンチウイルスエージェントの配信を制御する規則に従って動作するネットワークトラフィック管理装置を使用し、上記バイパスネットワークを用いての上記通信ネットワークへの上記アンチウイルスエージェントの配信を行うことを含む請求項１に記載のマルチネットワークウイルス免疫付与システム。
【請求項３９】
上記通信ネットワークにおける上記ウイルスの伝送と対比して、速い伝送速度、高い伝送信頼性、高い伝送セキュリティ、および、物理的に分離された伝送経路の少なくともいずれかでアンチウイルスエージェントの伝送を行うバイパスネットワークを用いて、上記通信ネットワークに上記アンチウイルスエージェントを配信する上記手段は、
上記通信ネットワークの通信データよりも、上記アンチウイルスエージェントの伝送を優先するよう動作するネットワークトラフィック管理装置を使用し、上記バイパスネットワークを用いての上記通信ネットワークへの上記アンチウイルスエージェントの配信を行うことを含む請求項１に記載のマルチネットワークウイルス免疫付与システム。
【請求項４０】
上記通信ネットワークにおける上記ウイルスの伝送と対比して、速い伝送速度、高い伝送信頼性、高い伝送セキュリティ、および、物理的に分離された伝送経路の少なくともいずれかでアンチウイルスエージェントの伝送を行うバイパスネットワークを用いて、上記通信ネットワークに上記アンチウイルスエージェントを配信する上記手段は、
上記アンチウイルスエージェントの伝送に対して、上記ウイルスの伝送を抑制および／または遅延させるように機能するネットワークトラフィック管理装置を使用し、上記バイパスネットワークを用いての上記通信ネットワークへの上記アンチウイルスエージェントの配信を行うことを含む請求項１に記載のマルチネットワークウイルス免疫付与システム。
【請求項４１】
上記通信ネットワークにおける上記ウイルスの伝送と対比して、速い伝送速度、高い伝送信頼性、高い伝送セキュリティ、および、物理的に分離された伝送経路の少なくともいずれかでアンチウイルスエージェントの伝送を行うバイパスネットワークを用いて、上記通信ネットワークに上記アンチウイルスエージェントを配信する上記手段は、
ワイド・エリア・ネットワーク、ローカル・エリア・ネットワーク、仮想ローカル・エリア・ネットワーク、仮想私設ネットワーク、メトロポリタン・エリア・ネットワーク、ピア・トゥ・ピアネットワーク、および／または、イントラネットのうちの少なくとも１つを含むバイパスネットワークを用いて上記アンチウイルスエージェントを上記通信ネットワークに配信することを含む請求項１に記載のマルチネットワークウイルス免疫付与システム。
【請求項４２】
上記通信ネットワークにおける上記ウイルスの伝送と対比して、速い伝送速度、高い伝送信頼性、高い伝送セキュリティ、および、物理的に分離された伝送経路の少なくともいずれかでアンチウイルスエージェントの伝送を行うバイパスネットワークを用いて、上記通信ネットワークに上記アンチウイルスエージェントを配信する上記手段は、
イーサネットベースのネットワーク、無線ネットワーク、ブルートゥースネットワーク、Ｗｉ−Ｆｉネットワーク、公衆交換電話ネットワーク、および／または、パケット交換ネットワークのうちの少なくとも１つを含むバイパスネットワークを用いて上記アンチウイルスエージェントを上記通信ネットワークに配信することを含む請求項１に記載のマルチネットワークウイルス免疫付与システム。
【請求項４３】
上記通信ネットワークにおける上記ウイルスの伝送と対比して、速い伝送速度、高い伝送信頼性、高い伝送セキュリティ、および、物理的に分離された伝送経路の少なくともいずれかでアンチウイルスエージェントの伝送を行うバイパスネットワークを用いて、上記通信ネットワークに上記アンチウイルスエージェントを配信する上記手段は、
衛星ネットワーク、衛星無線ネットワーク、携帯電話ネットワーク、ファイバーネットワーク、および／または、ページングネットワークのうちの少なくとも１つを含むバイパスネットワークを用いて上記アンチウイルスエージェントを上記通信ネットワークに配信することを含む請求項１に記載のマルチネットワークウイルス免疫付与システム。
【請求項４４】
上記通信ネットワークにおける上記ウイルスの伝送と対比して、速い伝送速度、高い伝送信頼性、高い伝送セキュリティ、および、物理的に分離された伝送経路の少なくともいずれかでアンチウイルスエージェントの伝送を行うバイパスネットワークを用いて、上記通信ネットワークに上記アンチウイルスエージェントを配信する上記手段は、
上記アンチウイルスエージェントを、上記通信ネットワークにおける上記ウイルスの伝播経路よりも前にある１つ以上の上記通信ネットワークのネットワーク装置に供給することを含む請求項１に記載のマルチネットワークウイルス免疫付与システム。
【請求項４５】
上記通信ネットワークにおける上記ウイルスの伝送と対比して、速い伝送速度、高い伝送信頼性、高い伝送セキュリティ、および、物理的に分離された伝送経路の少なくともいずれかでアンチウイルスエージェントの伝送を行うバイパスネットワークを用いて、上記通信ネットワークに上記アンチウイルスエージェントを配信する上記手段は、
上記通信ネットワークのトポロジ解析による上記ウイルスの潜在的な経路の特定に基づいて上記アンチウイルスエージェントを上記通信ネットワークに供給することを含む請求項１に記載のマルチネットワークウイルス免疫付与システム。
【請求項４６】
上記通信ネットワークにおける上記ウイルスの伝送と対比して、速い伝送速度、高い伝送信頼性、高い伝送セキュリティ、および、物理的に分離された伝送経路の少なくともいずれかでアンチウイルスエージェントの伝送を行うバイパスネットワークを用いて、上記通信ネットワークに上記アンチウイルスエージェントを配信する上記手段は、
上記通信ネットワークに上記アンチウイルスエージェントを配信するときに、上記ウイルスに競合する上記アンチウイルスエージェントを伝播することを含む請求項１に記載のマルチネットワークウイルス免疫付与システム。
【請求項４７】
上記通信ネットワークにおける上記ウイルスの伝送と対比して、速い伝送速度、高い伝送信頼性、高い伝送セキュリティ、および、物理的に分離された伝送経路の少なくともいずれかでアンチウイルスエージェントの伝送を行うバイパスネットワークを用いて、上記通信ネットワークに上記アンチウイルスエージェントを配信する上記手段は、
上記ウイルスの潜在的な経路の特定に基づいて、上記通信ネットワークに上記アンチウイルスエージェントを配信することを含み、上記特定は、上記特定を統計解析することを含むものである請求項１に記載のマルチネットワークウイルス免疫付与システム。
【請求項４８】
上記通信ネットワークにおける上記ウイルスの伝送と対比して、速い伝送速度、高い伝送信頼性、高い伝送セキュリティ、および、物理的に分離された伝送経路の少なくともいずれかでアンチウイルスエージェントの伝送を行うバイパスネットワークを用いて、上記通信ネットワークに上記アンチウイルスエージェントを配信する上記手段は、
第１のネットワーク装置と、第２のネットワーク装置との間における上記アンチウイルスエージェントのポイント・トゥ・ポイント伝送を、上記通信ネットワークが上記第１のネットワーク装置から上記第２のネットワーク装置に上記ウイルスを伝送するのにかかる時間よりも短い時間で行うことができるバイパスネットワークを用いて、上記通信ネットワークに上記アンチウイルスエージェントを配信することを含む請求項１に記載のマルチネットワークウイルス免疫付与システム。
【請求項４９】
上記通信ネットワークにおける上記ウイルスの伝送と対比して、速い伝送速度、高い伝送信頼性、高い伝送セキュリティ、および、物理的に分離された伝送経路の少なくともいずれかでアンチウイルスエージェントの伝送を行うバイパスネットワークを用いて、上記通信ネットワークに上記アンチウイルスエージェントを配信する上記手段は、
上記通信ネットワークがネットワーク経路上において上記ウイルスを伝送するのにかかる時間よりも短い時間で、上記ネットワーク経路上において、上記アンチウイルスエージェントのエンド・トゥ・エンド伝送を行うことができるバイパスネットワークを用いて、上記通信ネットワークに上記アンチウイルスエージェントを配信することを含む請求項１に記載のマルチネットワークウイルス免疫付与システム。
【請求項５０】
上記通信ネットワークにおける上記ウイルスの伝送と対比して、速い伝送速度、高い伝送信頼性、高い伝送セキュリティ、および、物理的に分離された伝送経路の少なくともいずれかでアンチウイルスエージェントの伝送を行うバイパスネットワークを用いて、上記通信ネットワークに上記アンチウイルスエージェントを配信する上記手段は、
通信ネットワークにおいて用いられる通信伝送媒体よりも広い帯域幅をサポートするバイパス伝送媒体を用いて上記アンチウイルスエージェントの伝送を行うことができるバイパスネットワークを用いて、上記通信ネットワークに上記アンチウイルスエージェントを配信することを含む請求項１に記載のマルチネットワークウイルス免疫付与システム。
【請求項５１】
上記通信ネットワークにおける上記ウイルスの伝送と対比して、速い伝送速度、高い伝送信頼性、高い伝送セキュリティ、および、物理的に分離された伝送経路の少なくともいずれかでアンチウイルスエージェントの伝送を行うバイパスネットワークを用いて、上記通信ネットワークに上記アンチウイルスエージェントを配信する上記手段は、
上記通信ネットワークにおいて用いられる通信伝送媒体よりも速いデータ転送をサポートするバイパス伝送媒体を用いて上記アンチウイルスエージェントの伝送を行うことができるバイパスネットワークを用いて、上記通信ネットワークに上記アンチウイルスエージェントを配信することを含む請求項１に記載のマルチネットワークウイルス免疫付与システム。
【請求項５２】
上記通信ネットワークにおける上記ウイルスの伝送と対比して、速い伝送速度、高い伝送信頼性、高い伝送セキュリティ、および、物理的に分離された伝送経路の少なくともいずれかでアンチウイルスエージェントの伝送を行うバイパスネットワークを用いて、上記通信ネットワークに上記アンチウイルスエージェントを配信する上記手段は、
上記通信ネットワークに比べて、より高い信頼性で、第１のネットワーク装置および第２のネットワーク装置間における上記アンチウイルスエージェントのポイント・トゥ・ポイント伝送を行うバイパスネットワークを用いて、上記通信ネットワークに上記アンチウイルスエージェントを配信することを含む請求項１に記載のマルチネットワークウイルス免疫付与システム。
【請求項５３】
上記通信ネットワークにおける上記ウイルスの伝送と対比して、速い伝送速度、高い伝送信頼性、高い伝送セキュリティ、および、物理的に分離された伝送経路の少なくともいずれかでアンチウイルスエージェントの伝送を行うバイパスネットワークを用いて、上記通信ネットワークに上記アンチウイルスエージェントを配信する上記手段は、
上記通信ネットワークに比べて、より高い信頼性で、第１のネットワーク装置および第２のネットワーク装置間における上記アンチウイルスエージェントのエンド・トゥ・エンド伝送を行うバイパスネットワークを用いて、上記通信ネットワークに上記アンチウイルスエージェントを配信することを含む請求項１に記載のマルチネットワークウイルス免疫付与システム。
【請求項５４】
上記通信ネットワークにおける上記ウイルスの伝送と対比して、速い伝送速度、高い伝送信頼性、高い伝送セキュリティ、および、物理的に分離された伝送経路の少なくともいずれかでアンチウイルスエージェントの伝送を行うバイパスネットワークを用いて、上記通信ネットワークに上記アンチウイルスエージェントを配信する上記手段は、
上記通信ネットワークに比べて、より高いクオリティ・オブ・サービス（QoS）で上記アンチウイルスエージェントの伝送を行うバイパスネットワークを用いて、上記通信ネットワークに上記アンチウイルスエージェントを配信することを含む請求項１に記載のマルチネットワークウイルス免疫付与システム。
【請求項５５】
上記通信ネットワークにおける上記ウイルスの伝送と対比して、速い伝送速度、高い伝送信頼性、高い伝送セキュリティ、および、物理的に分離された伝送経路の少なくともいずれかでアンチウイルスエージェントの伝送を行うバイパスネットワークを用いて、上記通信ネットワークに上記アンチウイルスエージェントを配信する上記手段は、
上記通信ネットワークに比べてより少ないパケットの取りこぼし数、より短い遅延、より低い配信失敗の可能性（likelihood）、および／または、より少ないエラーのうちの少なくともいずれかで上記アンチウイルスエージェントの伝送を行うバイパスネットワークを用いて、上記通信ネットワークに上記アンチウイルスエージェントを配信することを含む請求項１に記載のマルチネットワークウイルス免疫付与システム。
【請求項５６】
上記通信ネットワークにおける上記ウイルスの伝送と対比して、速い伝送速度、高い伝送信頼性、高い伝送セキュリティ、および、物理的に分離された伝送経路の少なくともいずれかでアンチウイルスエージェントの伝送を行うバイパスネットワークを用いて、上記通信ネットワークに上記アンチウイルスエージェントを配信する上記手段は、
上記通信ネットワークによって実現されるデータ暗号化よりも、より高水準のデータ暗号化を行うバイパスネットワークを用いて、上記通信ネットワークに上記アンチウイルスエージェントを配信することを含む請求項１に記載のマルチネットワークウイルス免疫付与システム。
【請求項５７】
上記通信ネットワークにおける上記ウイルスの伝送と対比して、速い伝送速度、高い伝送信頼性、高い伝送セキュリティ、および、物理的に分離された伝送経路の少なくともいずれかでアンチウイルスエージェントの伝送を行うバイパスネットワークを用いて、上記通信ネットワークに上記アンチウイルスエージェントを配信する上記手段は、
上記通信ネットワークに比べてよりセキュアに第１のネットワーク装置および第２のネットワーク装置間における上記アンチウイルスエージェントのポイント・トゥ・ポイント伝送を行うバイパスネットワークを用いて、上記通信ネットワークに上記アンチウイルスエージェントを配信することを含む請求項１に記載のマルチネットワークウイルス免疫付与システム。
【請求項５８】
上記通信ネットワークにおける上記ウイルスの伝送と対比して、速い伝送速度、高い伝送信頼性、高い伝送セキュリティ、および、物理的に分離された伝送経路の少なくともいずれかでアンチウイルスエージェントの伝送を行うバイパスネットワークを用いて、上記通信ネットワークに上記アンチウイルスエージェントを配信する上記手段は、
上記通信ネットワークに比べてよりセキュアに第１のネットワーク装置および第２のネットワーク装置間における上記アンチウイルスエージェントのエンド・トゥ・エンド伝送を行うバイパスネットワークを用いて、上記通信ネットワークに上記アンチウイルスエージェントを配信することを含む請求項１に記載のマルチネットワークウイルス免疫付与システム。
【請求項５９】
上記通信ネットワークにおける上記ウイルスの伝送と対比して、速い伝送速度、高い伝送信頼性、高い伝送セキュリティ、および、物理的に分離された伝送経路の少なくともいずれかでアンチウイルスエージェントの伝送を行うバイパスネットワークを用いて、上記通信ネットワークに上記アンチウイルスエージェントを配信する上記手段は、
上記通信ネットワークにおいて、第１のネットワーク装置から、第２のネットワーク装置に上記ウイルスを伝送するのに用いられる経路とは物理的に分離された経路を用いて上記第１のネットワーク装置および上記第２のネットワーク装置間における上記アンチウイルスエージェントのポイント・トゥ・ポイント伝送を行うことができるバイパスネットワークを用いて、上記通信ネットワークに上記アンチウイルスエージェントを配信することを含む請求項１に記載のマルチネットワークウイルス免疫付与システム。
【請求項６０】
上記通信ネットワークにおける上記ウイルスの伝送と対比して、速い伝送速度、高い伝送信頼性、高い伝送セキュリティ、および、物理的に分離された伝送経路の少なくともいずれかでアンチウイルスエージェントの伝送を行うバイパスネットワークを用いて、上記通信ネットワークに上記アンチウイルスエージェントを配信する上記手段は、
上記通信ネットワークにおいて、上記ウイルスを伝送するのに用いられる経路とは物理的に分離されたネットワーク経路を用いて第１のネットワーク装置および第２のネットワーク装置間における上記アンチウイルスエージェントのエンド・トゥ・エンド伝送を行うことができるバイパスネットワークを用いて、上記通信ネットワークに上記アンチウイルスエージェントを配信することを含む請求項１に記載のマルチネットワークウイルス免疫付与システム。
【請求項６１】
（ａ）通信ネットワークに関連付けられたウイルスを特定するための１または複数の命令と、
（ｂ）上記通信ネットワークにおける上記ウイルスの伝送と対比して、速い伝送速度、高い伝送信頼性、高い伝送セキュリティ、および、物理的に分離された伝送経路の少なくともいずれかでアンチウイルスエージェントの伝送を行うバイパスネットワークを用いて、上記通信ネットワークに上記アンチウイルスエージェントを配信するための１または複数の命令と、を有する信号担持媒体を含むマルチネットワークウイルス免疫付与コンピュータプログラム製品。
【請求項６２】
上記信号担持媒体は、コンピュータ読み取り可能な媒体を含む請求項６１に記載のマルチネットワークウイルス免疫付与コンピュータプログラム製品。
【請求項６３】
上記信号担持媒体は、記録可能な媒体を含む請求項６１に記載のマルチネットワークウイルス免疫付与コンピュータプログラム製品。
【請求項６４】
上記信号担持媒体は、通信媒体を含む請求項６１に記載のマルチネットワークウイルス免疫付与コンピュータプログラム製品。
【請求項６５】
計算装置を備え、上記計算装置において実行されたときに、上記計算装置に、
（ａ）通信ネットワークに関連付けられたウイルスを特定させ、および、
（ｂ）上記通信ネットワークにおける上記ウイルスの伝送と対比して、速い伝送速度、高い伝送信頼性、高い伝送セキュリティ、および、物理的に分離された伝送経路の少なくともいずれかでアンチウイルスエージェントの伝送を行うバイパスネットワークを用いて、上記通信ネットワークに上記アンチウイルスエージェントを配信させるための命令を含むマルチネットワークウイルス免疫付与システム。
【請求項６６】
上記計算装置は、１または複数のサーバー、パーソナル・デジタル・アシスタント（ＰＤＡ;personal digital assistant）または携帯電話機、ラップトップコンピュータ、タブレットＰＣ（personal computer）、ネットワークコンピュータ、プロセッサのクラスターを含む計算システム、ワークステーションコンピュータ、デスクトップコンピュータからなる請求項６５に記載のマルチネットワークウイルス免疫付与システム。
【請求項６７】
上記計算装置は、上記バイパスネットワークを用いて、上記アンチウイルスエージェントを上記通信ネットワークに供給するとともに、
上記通信ネットワークにおける上記ウイルスの伝播を、阻止、低減、または、抑制するように機能する請求項６５に記載のマルチネットワークウイルス免疫付与システム。
【請求項６８】
（ａ）通信ネットワークに関連付けられたウイルスを特定することができるネットワーク監視手段と、
（ｂ）上記通信ネットワークにおける上記ウイルスの伝送と対比して、速い伝送速度、高い伝送信頼性、高い伝送セキュリティ、および、物理的に分離された伝送経路の少なくともいずれかでアンチウイルスエージェントの伝送を行うバイパスネットワークを用いて、上記通信ネットワークに上記アンチウイルスエージェントを配信することができる反応生成手段と、を備えるマルチネットワークウイルス免疫付与システムを含むマルチネットワークウイルス免疫付与装置。
【請求項６９】
上記ネットワーク監視手段は、上記通信ネットワークにおける上記ウイルスの検知のための検知規則に従って動作する請求項６８に記載のマルチネットワークウイルス免疫付与装置。
【請求項７０】
上記反応生成手段は、上記アンチウイルスエージェントの決定と、上記バイパスネットワークを用いた上記通信ネットワークへの上記アンチウイルスエージェントの供給とに関連する反応規則に従って動作する請求項６８に記載のマルチネットワークウイルス免疫付与装置。
【国際調査報告】
2009535913.tif 000023